(57)【特許請求の範囲】
【請求項１】
マルチセル通信用に構成されたユーザ機器（ＵＥ）であって、
プロセッサ、
前記プロセッサと電子通信しているメモリ、
前記メモリに記憶された命令であって、
少なくともプライマリセル（ＰＣｅｌｌ）を含むグループに対応するＰＣｅｌｌタイムアライメントタイマが満了した時に、前記プライマリセルを含まずに一つまたは複数のセカンダリセル（ＳＣｅｌｌ）を含む一つ以上のグループのそれぞれに対応する各ＳＣｅｌｌタイムアライメントタイマであって満了していないタイマの全てが満了であるとし、かつ、すべてのＨＡＲＱバッファをフラッシュし、
前記ＳＣｅｌｌタイムアライメントタイマが満了した時に、前記ＳＣｅｌｌのすべてのＨＡＲＱバッファをフラッシュし、
前記ＳＣｅｌｌタイムアライメントタイマは、無限大の満了値を有する
ことを実行可能である命令
を含む、ユーザ機器（ＵＥ）。
【請求項２】
ユーザ機器（ＵＥ）上でマルチセル通信を可能にする方法であって、
少なくともプライマリセル（ＰＣｅｌｌ）を含むグループに対応するＰＣｅｌｌタイムアライメントタイマが満了した時に、
前記ユーザ機器は、前記プライマリセルを含まずに一つまたは複数のセカンダリセル（ＳＣｅｌｌ）を含む一つ以上のグループのそれぞれに対応する各ＳＣｅｌｌタイムアライメントタイマであって満了していないタイマの全てが満了であるとし、かつ、すべてのＨＡＲＱバッファをフラッシュし、
前記ＳＣｅｌｌタイムアライメントタイマが満了した時に、
前記ユーザ機器は、前記ＳＣｅｌｌのすべてのＨＡＲＱバッファをフラッシュし、
前記ＳＣｅｌｌタイムアライメントタイマは、無限大の満了値を有する
ことを特徴とする方法。
【発明の詳細な説明】
【技術分野】
【０００１】
本開示は、全般的に、通信システムに関する。特に、本開示は、マルチセル通信用のデバイスに関する。
【背景技術】
【０００２】
ワイヤレス通信デバイスは、消費者ニーズを満たして可搬性および利便性を改善するために、より小型、かつより強力になった。消費者は、ワイヤレス通信デバイスに依存するようになるとともに、高信頼性のサービス、受信可能エリアの拡大、および機能性の増加を期待するようになった。ワイヤレス通信システムは、いくつかのワイヤレス通信デバイスに通信を提供でき、デバイスのそれぞれが、基地局によるサービスを享受し得る。基地局は、ワイヤレス通信デバイスと通信する固定局とされ得る。
【０００３】
ワイヤレス通信デバイスの進歩に伴い、通信容量、速度、および／または品質の改善が求められてきた。しかし、通信容量、速度、および／または品質の改善には、リソースの増加が必要とされることもある。
【０００４】
例えば、ワイヤレス通信デバイスは、複数のチャネルまたはセルを使用して１つ以上のデバイスと通信し得る。しかし、複数のチャネルまたはセルを使用して１つ以上のデバイスと通信することにより、特定の課題がもたらされ得る。本記載により示すように、複数のチャネルまたはセルを使用した通信を可能にする、または改善する、システムおよび方法が有益となり得る。
【発明の概要】
【０００５】
マルチセル通信用に構成されたユーザ機器（ＵＥ：ｕｓｅｒ  ｅｑｕｉｐｍｅｎｔ）が開示される。ＵＥは、プロセッサ、およびプロセッサと電子通信しているメモリに記憶された命令を含む。ＵＥは、対応するプライマリセル（ＰＣｅｌｌ：ｐｒｉｍａｒｙ  ｃｅｌｌ）タイムアライメントタイマをもつＰＣｅｌｌを判断する。ＵＥはさらに、対応するセカンダリセル（ＳＣｅｌｌ：ｓｅｃｏｎｄａｒｙ  ｃｅｌｌ）タイムアライメントタイマをもつＳＣｅｌｌを判断する。ＵＥは、ＰＣｅｌｌタイムアライメントタイマが満了しているかどうかをさらに判断する。さらにＵＥは、ＰＣｅｌｌタイムアライメントタイマが満了していれば、ＳＣｅｌｌタイムアライメントタイマを満了としてセットする。ＳＣｅｌｌタイムアライメントタイマは、無限大の満了値を有してもよい。Ｍｓｇ３バッファは、ＳＣｅｌｌにおいて送信される媒体アクセス制御（ＭＡＣ：ｍｅｄｉａ  ａｃｃｅｓｓ  ｃｏｎｔｒｏｌ）プロトコルデータユニット（ＰＤＵ：ｐｒｏｔｏｃｏｌ  ｄａｔａ  ｕｎｉｔ）にＭＡＣサービスデータユニット（ＳＤＵ：ｓｅｒｖｉｃｅ  ｄａｔａ  ｕｎｉｔ）を含まなくてもよい。
【０００６】
さらにＵＥは、ランダムアクセス手順の失敗が原因でＰＣｅｌｌタイムアライメントタイマが停止されているかどうかを判断してもよい。ランダムアクセス手順の失敗が原因でＰＣｅｌｌタイムアライメントタイマが停止されていれば、さらにＵＥは、ＳＣｅｌｌタイムアライメントタイマを維持してもよい。ランダムアクセス手順の失敗が原因でＰＣｅｌｌタイムアライメントタイマが停止されていれば、さらにＵＥは、ＳＣｅｌｌタイムアライメントタイマを停止してもよい。
【０００７】
ランダムアクセス手順の失敗が原因でＰＣｅｌｌタイムアライメントタイマが停止されていれば、さらにＵＥは、ＳＣｅｌｌタイムアライメントタイマを停止してもよい。ＳＣｅｌｌは、指定されたＳＣｅｌｌであってもよい。ＵＥはさらに、指定されたＳＣｅｌｌと上りリンク送信タイミングを共有する他の任意のＳＣｅｌｌのハイブリッド自動再送要求（ＨＡＲＱ：ｈｙｂｒｉｄ  ａｕｔｏｍａｔｉｃ  ｒｅｐｅａｔ  ｒｅｑｕｅｓｔ）バッファをフラッシュしてもよい。さらにＵＥは、物理上りリンク共有チャネル（ＰＵＣＣＨ）またはサウンディング基準信号（ＳＲＳ：ｓｏｕｎｄｉｎｇ  ｒｅｆｅｒｅｎｃｅ  ｓｉｇｎａｌ）を解放するよう無線リソース制御（ＲＲＣ：ｒａｄｉｏ  ｒｅｓｏｕｒｃｅ  ｃｏｎｔｒｏｌ）に通知することを回避してもよい。さらにＵＥは、指定されたＳＣｅｌｌと上りリンク送信タイミングを共有する他の任意のＳＣｅｌｌに関して、構成された任意の下りリンク割り当ておよび任意の上りリンクグラントをクリアしてもよい。
【０００８】
ランダムアクセス手順の失敗が原因でＰＣｅｌｌタイムアライメントタイマが停止されていれば、さらにＵＥは、ＳＣｅｌｌタイムアライメントタイマを満了としてセットしてもよい。ＳＣｅｌｌは、指定されたＳＣｅｌｌであってもよい。ＵＥはさらに、指定されたＳＣｅｌｌと上りリンク送信タイミングを共有する他の任意のＳＣｅｌｌのハイブリッド自動再送要求（ＨＡＲＱ）バッファをフラッシュしてもよい。さらにＵＥは、物理上りリンク共有チャネル（ＰＵＣＣＨ）またはサウンディング基準信号（ＳＲＳ）を解放するよう無線リソース制御（ＲＲＣ）に通知することを回避してもよい。さらにＵＥは、指定されたＳＣｅｌｌと上りリンク送信タイミングを共有する他の任意のＳＣｅｌｌに関して、構成された任意の下りリンク割り当ておよび任意の上りリンクグラントをクリアしてもよい。
【０００９】
さらに、ユーザ機器（ＵＥ）上でマルチセル通信を可能にする方法が開示される。本方法は、対応するプライマリセル（ＰＣｅｌｌ）タイムアライメントタイマをもつＰＣｅｌｌを判断するステップを含む。さらに本方法は、対応するセカンダリセル（ＳＣｅｌｌ）タイムアライメントタイマをもつＳＣｅｌｌを判断するステップを含む。本方法は、ＰＣｅｌｌタイムアライメントタイマが満了しているかどうかを判断するステップをさらに含む。さらに本方法は、ＰＣｅｌｌタイムアライメントタイマが満了していれば、ＳＣｅｌｌタイムアライメントタイマを満了としてセットするステップを含む。
【００１０】
さらに、マルチセル通信を可能にするための非一時的有形コンピュータ可読媒体が開示される。コンピュータ可読媒体は、対応するプライマリセル（ＰＣｅｌｌ）タイムアライメントタイマをもつＰＣｅｌｌを判断するための実行可能命令を含む。さらにコンピュータ可読媒体は、対応するセカンダリセル（ＳＣｅｌｌ）タイムアライメントタイマをもつＳＣｅｌｌを判断するための実行可能命令を含む。コンピュータ可読媒体は、ＰＣｅｌｌタイムアライメントタイマが満了しているかどうかを判断するための実行可能命令をさらに含む。さらにコンピュータ可読媒体は、ＰＣｅｌｌタイムアライメントタイマが満了していれば、ＳＣｅｌｌタイムアライメントタイマを満了としてセットするための実行可能命令を含む。
【図面の簡単な説明】
【００１１】
【図１】マルチセル通信のためのシステムおよび方法が実装され得る、ユーザ機器（ＵＥ）および１つ以上のｅｖｏｌｖｅｄ  Ｎｏｄｅ  Ｂ（ｅＮＢ）の一構成を示すブロック図である。
【図２】ユーザ機器（ＵＥ）上でマルチセル通信を可能にする方法の一構成を示すフロー図である。
【図３】プライマリセル（ＰＣｅｌｌ）タイムアライメントタイマの満了に基づいてセカンダリセル（ＳＣｅｌｌ）タイムアライメントタイマを制御する一例を示す図である。
【図４】ユーザ機器（ＵＥ）上でマルチセル通信を可能にする方法のより具体的な構成を示すフロー図である。
【図５】ユーザ機器（ＵＥ）上でマルチセル通信を可能にする方法の例を示すフロー図である。
【図６】セカンダリセル（ＳＣｅｌｌ）タイムアライメントタイマに基づく動作を実行する方法の例を示すフロー図である。
【図７】セカンダリセル（ＳＣｅｌｌ）タイムアライメントタイマとプライマリセル（ＰＣｅｌｌ）タイムアライメントタイマとの不一致の一例を示す図である。
【図８】ランダムアクセスレスポンスを処理する方法の一例を示すフロー図である。
【図９】ユーザ機器（ＵＥ）上での経時的なプライマリセル（ＰＣｅｌｌ）アクティビティおよびセカンダリセル（ＳＣｅｌｌ）アクティビティの一例を示す図である。
【図１０】上りリンク送信タイミングの一例を示す図である。
【図１１】上りリンク送信タイミングの別の例を示す図である。
【図１２】展開シナリオの一例を示すブロック図である。
【図１３】展開シナリオの別の例を示すブロック図である。
【図１４】ユーザ機器（ＵＥ）において利用され得る様々なコンポーネントを示す。
【図１５】ｅｖｏｌｖｅｄ  Ｎｏｄｅ  Ｂ（ｅＮＢ）において利用され得る様々なコンポーネントを示す。
【発明を実施するための形態】
【００１２】
「３ＧＰＰ」とも呼ばれる第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ）は、第３および第４世代ワイヤレス通信システムのための世界的に適用可能な技術仕様および技術レポートを定義することを目指した連携合意である。３ＧＰＰは、次世代のモバイルネットワーク、システム、およびデバイスのための仕様を定義し得る。
【００１３】
３ＧＰＰロングタームエボリューション（ＬＴＥ：Ｌｏｎｇ  Ｔｅｒｍ  Ｅｖｏｌｕｔｉｏｎ）は、ユニバーサルモバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）のモバイル電話またはモバイルデバイス規格を改善して将来の要求に対処するためのプロジェクトに与えられた名称である。一側面では、ＵＭＴＳに変更が加えられ、進化型ユニバーサル地上無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）および進化型ユニバーサル地上無線アクセスネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のサポートおよび仕様が提供された。
【００１４】
本願明細書に開示されるシステムおよび方法の少なくとも一部の側面は、３ＧＰＰ  ＬＴＥおよびＬＴＥ−Ａｄｖａｎｃｅｄ（ＬＴＥ−Ａ）規格（例えばリリース８およびリリース１０）に関して記載され得る。ただし、この点について本開示の範囲が限定されてはならない。本願明細書に開示されるシステムおよび方法の少なくとも一部の側面は、他のタイプのワイヤレス通信システムに利用され得る。
【００１５】
ワイヤレス通信デバイスは、音声および／またはデータを基地局へ伝達するために使用される電子デバイスであってもよく、さらに基地局は、デバイスのネットワーク（例えば公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、インターネットなど）と通信し得る。本願明細書におけるシステムおよび方法の記載では、ワイヤレス通信デバイスは、代わりに移動局、ユーザ機器（ＵＥ）、アクセス端末、加入者局、モバイル端末、遠隔局、ユーザ端末、端末、加入者ユニット、モバイルデバイスなどと呼ばれることもある。ワイヤレス通信デバイスの例としては、セルラ電話、スマートフォン、携帯情報端末（ＰＤＡ：ｐｅｒｓｏｎａｌ  ｄｉｇｉｔａｌ  ａｓｓｉｓｔａｎｔ）、ラップトップコンピュータ、ネットブック、電子書籍リーダ、ワイヤレスモデムなどが挙げられる。３ＧＰＰ仕様書では、典型的には、ワイヤレス通信デバイスはユーザ機器（ＵＥ）と呼ばれている。しかし、本開示の範囲は３ＧＰＰ規格に限定されるべきではないので、本願明細書では、より一般的な用語である「ワイヤレス通信デバイス」を意味するよう、「ＵＥ」および「ワイヤレス通信デバイス」という用語が同義で使用され得る。
【００１６】
３ＧＰＰ仕様書では、基地局は通常、Ｎｏｄｅ  Ｂ、ｅｖｏｌｖｅｄ  Ｎｏｄｅ  Ｂもしくはｅｎｈａｎｃｅｄ  Ｎｏｄｅ  Ｂ（ｅＮＢ）、ｈｏｍｅ  ｅｎｈａｎｃｅｄ  Ｎｏｄｅ  Ｂもしくはｈｏｍｅ  ｅｖｏｌｖｅｄ  Ｎｏｄｅ  Ｂ（ＨｅＮＢ）、またはその他何らかの同様の用語で呼ばれている。本開示の範囲は、３ＧＰＰ規格に限定されるべきではないので、本願明細書では、より一般的な「基地局」という用語を意味するよう、「基地局」、「Ｎｏｄｅ  Ｂ」、「ｅＮＢ」、および「ＨｅＮＢ」という用語が同義で使用され得る。さらに、「基地局」という用語は、アクセスポイントを示すために使用されることもある。アクセスポイントは、ワイヤレス通信デバイスにネットワーク（例えば、ローカルエリアネットワーク（ＬＡＮ：Ｌｏｃａｌ  Ａｒｅａ  Ｎｅｔｗｏｒｋ）、インターネットなど）へのアクセスを提供する電子デバイスとされ得る。「通信デバイス」という用語は、ワイヤレス通信デバイスおよび／または基地局のいずれを示すためにも使用され得る。
【００１７】
なお、本願明細書において使用される「セル」とは、インターナショナルモバイルテレコミュニケーションアドバンスト（ＩＭＴ−Ａｄｖａｎｃｅｄ：Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）に使用すべく、規格化または規制団体によって規定された任意の通信チャネルであればよく、そのすべてまたはサブセットが、Ｎｏｄｅ  Ｂ（例えばｅＮｏｄｅＢ）とＵＥとの通信に使用すべく認可された帯域として、３ＧＰＰによって採用され得る。「構成されたセル」とは、ＵＥが認識していて、Ｎｏｄｅ  Ｂ（例えばｅＮＢ）により情報の送信または受信が許可されている当該セルである。「構成されたセル（単数または複数）」は、サービングセル（単数または複数）とされ得る。ＵＥは、構成されたすべてのセル上でシステム情報を受信し、必要とされる測定を実行し得る。「アクティブ化されたセル」とは、ＵＥが送信および受信を行っている、構成された当該セルである。すなわち、アクティブ化されたセルとは、ＵＥが物理下りリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）をモニターする当該セルであり、下りリンク送信の場合、ＵＥが物理下りリンク共有チャネル（ＰＤＳＣＨ）を復号する当該セルである。「非アクティブ化されたセル」とは、ＵＥが送信ＰＤＣＣＨをモニターしていない、構成された当該セルである。なお、「セル」は、様々な側面から記載され得る。例えば「セル」は、時間的、空間的（例えば地理的）、および周波数的な特徴を有し得る。例として、セルの空間的特徴が、サイズの観点から記載され得る。
【００１８】
本願明細書に開示されるシステムおよび方法は、ユーザ機器（ＵＥ）が複数のタイミングアライメントグループまたは複数のランダムアクセスチャネル用に構成されている場合に、ＵＥがいかに振る舞うかに関し得る。３ＧＰＰ  ＬＴＥリリース１０（例えばＬＴＥ−ＡまたはＡｄｖａｎｃｅｄ  Ｅ−ＵＴＲＡＮ）では、キャリアアグリゲーションが導入される。さらに、プライマリセル（ＰＣｅｌｌ）と、１つ以上のセカンダリセル（ＳＣｅｌｌ）とが使用され得る。
【００１９】
ＵＥは、その上りリンク送信タイミングを、プライマリセルの物理上りリンク制御チャネル（ＰＵＣＣＨ：ｐｈｙｓｉｃａｌ  ｕｐｌｉｎｋ  ｃｏｎｔｒｏｌ  ｃｈａｎｎｅｌ）、物理上りリンク共有チャネル（ＰＵＳＣＨ：ｐｈｙｓｉｃａｌ  ｕｐｌｉｎｋ  ｓｈａｒｅｄ  ｃｈａｎｎｅｌ）、および／またはサウンディング基準信号（ＳＲＳ）に関して、タイミングアドバンスコマンドに基づいて調整してもよい。ＵＥがランダムアクセスプリアンブルを送った後に、ランダムアクセスレスポンス内のタイミングアドバンスコマンドが、ｅＮＢからＵＥへ送信されてもよい。さらに、タイミングアドバンスコマンド（タイミングアドバンスコマンド媒体アクセス制御（ＭＡＣ）制御要素を指す）は、ｅＮＢがＵＥの上りリンク送信タイミングを変更したい任意の時点でｅＮＢからＵＥへ送信される。対応するｅＮＢに対するＵＥの相対位置が変化するにつれて、上りリンク送信タイミングを随時調整して、無線周波数（ＲＦ：ｒａｄｉｏ  ｆｒｅｑｕｅｎｃｙ）遅延の変化に対処する必要があることもある。このようにして、ｅＮＢは、任意のＵＥからｅＮＢへの信号がすべて同時に、または直交周波数分割多重（ＯＦＤＭ：ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルにおけるサイクリックプレフィックス以内にｅＮＢに到達するように規定し得る。
【００２０】
ランダムアクセスレスポンスの場合には、１１ビットのタイミングアドバンスコマンドＴＡが、ＴＡ＝０，１，２，…，１２８２のインデックス値によってＮＴＡ値を指示でき、タイムアライメントの量は、ＮＴＡ＝ＴＡ×１６によって与えられる。
【００２１】
他の場合には、６ビットのタイミングアドバンスコマンドＴＡが、ＴＡ＝０，１，２，…，６３のインデックス値によって、現在のＮＴＡ値（ＮＴＡ，ｏｌｄと示される）の新たなＮＴＡ値（ＮＴＡ，ｎｅｗと示される）への調整を指示でき、ＮＴＡ，ｎｅｗ＝ＮＴＡ，ｏｌｄ＋（ＴＡ−３１）×１６である。この場合、正または負の量によるＮＴＡ値の調整は、それぞれ与えられた量、上りリンク送信タイミングを進めること、または遅らせることを指示する。
【００２２】
上りリンク無線フレーム番号ｉのＵＥからの送信は、対応する下りリンク無線フレームがＵＥにて開始するＮＴＡ×ＴＳ秒前に開始し、０≦ＮＴＡ≦２０５１２かつＴＳ＝１／（１５０００×２０４８）秒である。言い換えれば、ＵＥは、対応する下りリンク無線フレームｉを受信するＮＴＡ×ＴＳ秒前に、上りリンク無線フレームｉの送信を開始し得る。典型的には、セカンダリセルの物理上りリンク共有チャネル（ＰＵＳＣＨ）および／またはサウンディング基準信号（ＳＲＳ）の上りリンク（ＵＬ：ｕｐｌｉｎｋ）送信タイミングは、プライマリセルのものと同じであってもよい。
【００２３】
１つ以上のタイマ（例えばタイムアライメントタイマ）に関する手順が、本願明細書に記載される。本願明細書に開示されるシステムおよび方法によれば、タイマは、一度開始されると、停止されるか、または満了するまで実行中であってもよい。他の場合には、タイマは実行中でない。タイマは、実行中でない場合は開始されてもよく、実行中である場合は再開始されてもよい。タイマは、初期値から開始または再開始されてもよい。
【００２４】
本願明細書に開示されるシステムおよび方法の一構成では、ＵＥは、タイムアライメントタイマ、「ｔｉｍｅＡｌｉｇｎｍｅｎｔＴｉｍｅｒ」または「ＴＡＴ」と呼ばれ得る設定可能なタイマを有する。タイムアライメントタイマは、ＵＥがどのくらいの期間、上りリンクタイムアラインされていると見なされるかを制御するために使用され得る。ｅＮＢは、ＵＥの移動度またはセルのサイズに基づき、タイムアライメントタイマ満了値（例えばタイムアライメントタイマの初期値）を設定してもよい。ＵＥの移動速度がかなり高い場合、ＵＥとｅＮＢとの間の距離が急速に変化し得るため、タイムアライメントタイマ満了値は非常に短くてもよい。現在、ｅＮＢは、タイムアライメントタイマ満了値を、５００ミリ秒（ｍｓ：ｍｉｌｌｉｓｅｃｏｎｄ）、７５０ｍｓ、１２８０ｍｓ、１９２０ｍｓ、２５６０ｍｓ、５１２０ｍｓ、１０２４０ｍｓ、または無限大から選択し得る。
【００２５】
一構成では、ＵＥは以下のように動作してもよい。タイミングアドバンスコマンドＭＡＣ制御要素が受信されると、ＵＥは、タイミングアドバンスコマンドを適用して、タイムアライメントタイマを開始または再開始してもよい。タイミングアドバンスコマンドがランダムアクセスレスポンスメッセージ内で受信される場合であって、ランダムアクセスプリアンブルがＵＥ媒体アクセス制御（ＭＡＣ）によって選択されなかった場合、ＵＥは、タイミングアドバンスコマンドを適用して、タイムアライメントタイマを開始または再開始してもよい。
【００２６】
タイミングアドバンスコマンドがランダムアクセスレスポンスメッセージ内で受信され、タイムアライメントタイマが実行中でない場合、ＵＥは、タイミングアドバンスコマンドを適用して、タイムアライメントタイマを開始してもよい。その場合において、競合解決が成功でない（例えば失敗）と見なされると、ＵＥは、タイムアライメントタイマを停止してもよい。タイミングアドバンスコマンドがランダムアクセスレスポンスメッセージ内で受信された他の場合（例えばタイムアライメントタイマが実行中である）、ＵＥは、受信されたタイミングアドバンスコマンドを無視してもよい。
【００２７】
タイムアライメントタイマが満了すると、ＵＥは、すべてのＨＡＲＱバッファをフラッシュし、物理上りリンク制御チャネル（ＰＵＣＣＨ）および／またはサウンディング基準信号（ＳＲＳ）を解放するよう無線リソース制御（ＲＲＣ）に通知してもよい。さらにＵＥは、タイムアライメントタイマが満了すると、構成された任意の下りリンク割り当ておよび上りリンクグラントをクリアしてもよい。なお、ＵＥは、（例えば対応するセルに関して）タイムアライメントタイマが実行中でないとき、ランダムアクセスプリアンブル送信以外のいかなる上りリンク送信も実行してはならない。
【００２８】
複数の上りリンクタイムアライメントが必要とされることもある。異なる送信サイトおよび／または受信サイトを用いるセル間のアグリゲーションが導入されることもある。この場合、ＵＥは、各セルに対して異なる上りリンク送信タイミングを有する必要があることもある。
【００２９】
リリース１１では、この複数の上りリンク送信タイミング調整が検討される。展開シナリオの一例として、異なるコンポーネントキャリアが、異なる周波数選択性リピータが原因で、実質的に異なる伝搬環境、したがって異なる伝搬時間を経験し得るであろう。展開シナリオの別の例として、ＵＥは、２つのキャリア上で、並置されていない（ｎｏｎ−ｃｏｌｌｏｃａｔｅｄ）２つのサイトと通信し得る。かかるシナリオは、リモートアンテナまたはリモートレディオヘッドによって生じ得るであろう。
【００３０】
リリース１０では、タイムアライメントタイマの満了時間（例えば「タイムアライメントタイマ値」または「ＴＡＴ値」）は、設定可能であり、ｅＮＢによって、ＵＥの移動度またはセルのサイズに基づいて制御され得る。ＵＥの移動度はＰＣｅｌｌにおいてのみ管理されてもよく、その結果、満了値（例えばＴＡＴ値）はＰＣｅｌｌにおいて決定されることになる。ｅＮＢが、タイミングアドバンス（ＴＡ：ｔｉｍｉｎｇ  ａｄｖａｎｃｅ）コマンドを、ＰＣｅｌｌおよびＳＣｅｌｌの両方に対して同じ周期性で提供する場合、ＰＣｅｌｌのＴＡＴとＳＣｅｌｌのＴＡＴとの間に大差はないかもしれない。そのため、ＳＣｅｌｌの満了値（例えばＴＡＴ値）は、ＰＣｅｌｌの満了値（例えばＴＡＴ値）と同じとすることが可能であろう。しかし、上りリンクタイムアライメントを維持するための現在のＭＡＣ手順は、１つのタイムアライメントタイマに基づいて定義されている。したがって、ランダムアクセスレスポンスメッセージ内のタイミングアドバンスコマンドに関するＳＣｅｌｌの手順は、現在のところ、ＵＥが単一のタイムアライメントタイマまたはＴＡＴのみを有する場合、不明瞭であると思われる。特に、ＳＣｅｌｌのタイミングアドバンスコマンドが適用されるべき場合、または無視されるべき場合、および任意の上りリンク送信が禁止されるべき場合が不明瞭であると思われる。
【００３１】
さらに、システムが、ＰＣｅｌｌおよびＳＣｅｌｌに関してランダムアクセス手順を有する場合、それらは相互に重複し得る。このランダムアクセス手順の重複により生じる問題は、本願明細書に開示されるシステムおよび方法を使用して軽減または解決され得る。
【００３２】
本願明細書において開示されるシステムおよび方法の１つ以上の構成の特徴の一部を、以下のとおり示す。ＵＥは、複数のタイムアライメントタイマを有してもよく、１つはＰＣｅｌｌ用であり、他の１つ以上のタイムアライメントタイマは１つ以上のＳＣｅｌｌ（単数または複数）に対応する。１つ以上のＳＣｅｌｌに対応する１つ以上の満了値（例えばＴＡＴ値）は、無限大であってもよい。
【００３３】
ＰＣｅｌｌのタイムアライメントタイマ（ＴＡＴ）が満了すると、ＵＥは、１つ以上のＳＣｅｌｌのタイムアライメントタイマ（単数または複数）も満了したと見なしてもよい。ＰＣｅｌｌのタイムアライメントタイマ（ＴＡＴ）が停止すると（例えば競合ベースのランダムアクセス（ＲＡ：ｒａｎｄｏｍ  ａｃｃｅｓｓ）手順の間）、ＵＥは、１つ以上のＳＣｅｌｌのタイムアライメントタイマ（単数または複数）を維持してもよい。「多重化・組み立て（ｍｕｌｔｉｐｌｅｘｉｎｇ  ａｎｄ  ａｓｓｅｍｂｌｙ）」エンティティは、ＳＣｅｌｌのバッファ（例えば「Ｍｓｇ３」バッファ）内の送信されるＭＡＣプロトコルデータユニット（ＰＤＵ）にいかなるＭＡＣサービスデータユニット（ＳＤＵ（単数または複数））も含めなくてもよい。
【００３４】
本願明細書において開示されるシステムおよび方法の１つ以上の構成に関するさらなる詳細を、以下に示す。特に、無限の満了値（例えば、無限大の満了値）を有してもよい１つ以上のＳＣｅｌｌの１つ以上のタイムアライメントタイマに関して、さらなる詳細を示す。ＰＣｅｌｌを含む１つ以上のサービングセのグループに加えて、少なくとも１つのＳＣｅｌｌを含む１つ以上のグループが導入される。各グループ内の１つ以上のサービングセルの上りリンクは、同じ上りリンク送信タイミングを有してもよい。例えば、各グループ内の１つ以上のＳＣｅｌｌはそれぞれ、同じ上りリンク送信タイミングを共有してもよい。
【００３５】
一構成では、ＵＥは、複数のタイムアライメントタイマを有し、１つのタイマはＰＣｅｌｌ用であり、他の１つ以上のタイマは、１つ以上のＳＣｅｌｌ用である。例えば、各グループに１つのタイムアライメントタイマがあってもよい。言い換えれば、サービングセルは、１つのタイムアライメントタイマを有するＰＣｅｌｌおよび１つのタイムアライメントタイマを有する１つ以上のＳＣｅｌｌを含んでもよい。１つ以上のＳＣｅｌｌが、ＰＣｅｌｌのタイムアライメントタイマまたは別のＳＣｅｌｌのタイムアライメントタイマを共有してもよい。
【００３６】
ＵＥは、タイムアドバンス（ＴＡ）コマンド手順を処理するために、複数のタイムアライメントタイマを有してもよいが、多数のタイムアライメントタイマ満了値を管理する必要はない。例として、ＰＣｅｌｌに対応するタイムアライメントタイマが１つの満了値を有してもよく、その一方で、１つ以上のＳＣｅｌｌに対応する満了値は、無限大であってもよい。タイムアライメントタイマの満了値（例えば満了値または「ＴＡＴ値」）は、ＵＥの移動度および／またはセルのサイズに基づきｅＮＢによって制御されてもよい。ＵＥの移動度は、ＰＣｅｌｌのみにおいて管理されてもよい。そのため、満了値（例えばＴＡＴ値）はＰＣｅｌｌに関して決定されてもよい。したがって、ＰＣｅｌｌおよびＳＣｅｌｌ（単数または複数）のタイミングアドバンスコマンドがほぼ同じタイミングで報知されれば、１つ以上のＳＣｅｌｌのタイムアライメントタイマ（単数または複数）が、それらがいつ満了すべきかを管理する必要はないと思われる。よって、１つ以上のＳＣｅｌｌのタイムアライメントタイマ満了値（例えばＴＡＴ値）は、無限大とされてもよい。なお、ＰＣｅｌｌのタイムアライメントタイマが満了すれば、対応するタイムアライメントタイマ（単数または複数）は、満了しても停止してもよい。これは、ＳＣｅｌｌのタイムアライメントタイマの満了が、ＰＣｅｌｌのタイムアライメントタイマによって制御され得るということを意味する。
【００３７】
この手法によって、運用コストおよび／または実装コストが削減され得る。一構成では、ＳＣｅｌｌの上りリンクタイムアライメントを有するようＵＥが構成されると、１つ以上のＳＣｅｌｌに関する満了値（例えばＴＡＴ値）が、ＵＥによって無限大にセットされてもよい。あるいは、１つ以上のＳＣｅｌｌの無限大の満了値（例えばＴＡＴ値）が、ｅＮＢによってＵＥに信号伝達されてもよい。ＰＣｅｌｌのタイムアライメントタイマが満了すると、ＵＥは、１つ以上のＳＣｅｌｌに対応する１つ以上のタイムアライメントタイマを満了したと見なし、かつ／または１つ以上のＳＣｅｌｌに対応する１つ以上のタイムアライメントタイマを停止してもよい。しかし、１つ以上のＳＣｅｌｌに対応する１つ以上のタイムアライメントタイマは、初期の満了値として無限大を有するため、それ自体で満了することは決してなくてもよい。
【００３８】
一構成では、ＵＥは以下のように動作してもよい。ＰＣｅｌｌのタイムアライメントタイマ（ＴＡＴ）が満了すると、ＵＥは、すべてのＨＡＲＱバッファをフラッシュし、物理上りリンク制御チャネル（ＰＵＣＣＨ）および／またはサウンディング基準信号（ＳＲＳ）を解放するよう無線リソース制御（ＲＲＣ）に通知してもよい。さらにＵＥは、構成された任意の下りリンク割り当ておよび上りリンクグラントをクリアしてもよく、１つ以上のＳＣｅｌｌに対応する１つ以上の（例えばすべての）タイムアライメントタイマ（ＴＡＴ）を満了としてセットし（例えば見なし）、かつ／または１つ以上のＳＣｅｌｌに対応する１つ以上の（例えばすべての）タイムアライメントタイマを停止してもよい。一部の構成では、１つ以上のＳＣｅｌｌが１つのタイムアライメントタイマを有し得るが、各ＳＣｅｌｌが有してよいのは、最大で単一のタイムアライメントタイマである。なお、ＵＥは、各グループのタイムアライメントタイマが実行中でないとき、可能なランダムアクセスプリアンブル送信を除いて、１つ以上のセルのグループそれぞれにおいていかなる上りリンク送信も実行してはならない。
【００３９】
サービングセルのタイミングアドバンスコマンドＭＡＣ制御要素が受信されると、ＵＥは、該当する（例えば対応する）セルに対してタイミングアドバンスコマンドを適用して、該当するセルのタイムアライメントタイマを開始または再開始してもよい。タイミングアドバンスコマンドがサービングセルのランダムアクセスレスポンスメッセージ内で受信される場合であって、ランダムアクセスプリアンブルがＵＥ  ＭＡＣによって選択されなかった場合、ＵＥは、該当するセルに対してタイミングアドバンスコマンドを適用して、該当するセルのタイムアライメントタイマを開始または再開始してもよい。
【００４０】
タイミングアドバンスコマンドが、サービングセルのランダムアクセスレスポンスメッセージ内で受信される場合であって、該当するセルのタイムアライメントタイマが実行中でない場合、ＵＥは、該当するセルに対してタイミングアドバンスコマンドを適用して、該当するセルのタイムアライメントタイマを開始してもよい。その場合において、競合解決が成功でないと見なされると、ＵＥは、該当するセルのタイムアライメントタイマを停止してもよい。タイミングアドバンスコマンドがサービングセルのランダムアクセスレスポンスメッセージ内で受信される他の場合（例えば、該当するセルのタイムアライメントタイマが実行中である場合）、ＵＥは、受信されたタイミングアドバンスコマンドを無視してもよい。
【００４１】
ＳＣｅｌｌタイムアライメントタイマとＰＣｅｌｌタイムアライメントタイマとの間に起こり得る不一致について、以下のとおり記載する。ＵＥがランダムアクセスプリアンブルを送った後、ｅＮＢは、タイミングアドバンスコマンドおよび上りリンクグラント値を、ランダムアクセスレスポンスメッセージ内で送ってもよく、これがＵＥによって受信されてもよい。ランダムアクセスプリアンブルがＵＥ  ＭＡＣによって選択される場合、これは、競合ベースのランダムアクセスと呼ばれることもある。ランダムアクセスプリアンブルがＵＥ  ＭＡＣによって選択されない場合（例えば、ランダムアクセスプリアンブルインデックスがｅＮＢによって信号伝達される）、これは、非競合ベースのランダムアクセスまたは無競合ランダムアクセスと呼ばれることもある。
【００４２】
競合ベースのランダムアクセス手順の場合、メッセージ（例えばＭｓｇ３）を送信し、競合解決を受信する必要があることもある。非競合ベースのランダムアクセス手順の場合、ランダムアクセスレスポンスメッセージの受信に成功すると、手順が無事に完了してもよく、ＵＥは、通常の上りリンク送信を、ランダムアクセスレスポンス内の上りリンクグラントに基づいて実行してもよい。
【００４３】
競合ベースのランダムアクセス手順の場合、それがランダムアクセス手順の中で最初に無事に受信されたランダムアクセスレスポンスであれば、ＵＥは、セル無線ネットワーク一時識別子（Ｃ−ＲＮＴＩ：ｃｅｌｌ  ｒａｄｉｏ  ｎｅｔｗｏｒｋ  ｔｅｍｐｏｒａｒｙ  ｉｄｅｎｔｉｆｉｅｒ）ＭＡＣ制御要素を後の上りリンク送信に含めるよう「多重化・組み立て」エンティティに指示してもよい。さらにＵＥは、「多重化・組み立て」エンティティから、送信するＭＡＣ  ＰＤＵを取得して、それをＭｓｇ３バッファに記憶してもよい。競合解決の失敗またはランダムアクセスレスポンスメッセージの受信の失敗が原因でランダムアクセスプリアンブルが再送されても、Ｍｓｇ３バッファ内に記憶されているメッセージ（例えばＭｓｇ３）は、次のランダムアクセス試行に使用され得る。
【００４４】
上りリンクグラントがランダムアクセスレスポンス内で受信された場合であって、それがランダムアクセス手順の中で最初に無事に受信されたランダムアクセスレスポンスである場合、ＵＥは、Ｃ−ＲＮＴＩ  ＭＡＣ制御要素を後の上りリンク送信に含めるよう「多重化・組み立て」エンティティに指示してもよい。さらにＵＥは、「多重化・組み立て」エンティティから、送信するＭＡＣ  ＰＤＵを取得して、それをＭｓｇ３バッファに記憶してもよい。
【００４５】
上りリンクグラントがランダムアクセスレスポンス内で受信された場合であって、Ｍｓｇ３バッファ内にＭＡＣ  ＰＤＵがある場合、ＵＥは、送信するＭＡＣ  ＰＤＵをＭｓｇ３バッファから取得してもよい（例えば競合ベースのランダムアクセスの場合）。その他の場合、ＵＥは、送信するＭＡＣ  ＰＤＵを「多重化・組み立て」エンティティから取得してもよい（例えば、非競合ベースのランダムアクセスの場合、ＰＤＣＣＨ上で受信された上りリンクグラントに基づく通常の上りリンク送信の場合）。なお、ＭＡＣ  ＰＤＵ（例えばＭｓｇ３）は、上りリンクグラントに基づくハイブリッド自動再送要求（ＨＡＲＱ）プロセスの中で送信されてもよい。
【００４６】
ＵＥは、ＭＡＣ競合解決タイマ（例えば「ｍａｃ−ＣｏｎｔｅｎｔｉｏｎＲｅｓｏｌｕｔｉｏｎＴｉｍｅｒ」）を開始してもよい。さらにＵＥは、ＭＡＣ競合解決タイマ（例えば「ｍａｃ−ＣｏｎｔｅｎｔｉｏｎＲｅｓｏｌｕｔｉｏｎＴｉｍｅｒ」）を、ＨＡＲＱ再送があればその都度、再開始してもよい。
【００４７】
ＵＥが、競合解決に使用される特定のＰＤＣＣＨを受信すれば、ＵＥは、競合解決を成功と見なし、ｍａｃ−ＣｏｎｔｅｎｔｉｏｎＲｅｓｏｌｕｔｉｏｎＴｉｍｅｒを停止し、ランダムアクセス手順が無事に完了したと見なしてもよい。ｍａｃ−ＣｏｎｔｅｎｔｉｏｎＲｅｓｏｌｕｔｉｏｎＴｉｍｅｒが満了すれば、ＵＥは、競合解決を失敗でないと見なしてもよい。競合解決が失敗と見なされる場合、ＵＥは、該当するセル（例えばＰＣｅｌｌまたはＳＣｅｌｌなどのサービングセル）のタイムアライメントタイマ（例えば「ｔｉｍｅＡｌｉｇｎｍｅｎｔＴｉｍｅｒ」）を停止してもよい。
【００４８】
なお、ｅＮＢは、ＰＣｅｌｌのランダムアクセス（ＲＡ）手順の間、物理下りリンク制御チャネル（ＰＤＣＣＨ）指令によって、ＳＣｅｌｌのランダムアクセス手順を開始するようＵＥに命令してもよい。ＳＣｅｌｌにおけるランダムアクセス（ＲＡ）手順が成功した後、ＰＣｅｌｌの「ｍａｃ−ＣｏｎｔｅｎｔｉｏｎＲｅｓｏｌｕｔｉｏｎＴｉｍｅｒ」が満了することもあり、するとＵＥは、ＰＣｅｌｌのタイムアライメントタイマ（ＴＡＴ）を停止することになる。この場合、ＰＣｅｌｌのタイムアライメントタイマ（ＴＡＴ）は実行中でないのに、ＳＣｅｌｌのタイムアライメントタイマ（ＴＡＴ）はまだ実行中であるということが起こり得る。この場合、ＳＣｅｌｌのタイムアライメント（ＴＡ）は既に有効であるため、ＳＣｅｌｌのタイムアライメントタイマ（ＴＡＴ）を停止する必要はないかもしれない。しかし、ランダムアクセスのみのＨＡＲＱプロセスがＰＣｅｌｌにおいて実行され得る間に、ＳＣｅｌｌおよび同じ上りリンク送信タイミングを共有する他の１つ以上のＳＣｅｌｌのＨＡＲＱプロセスが実行されることになる。ＰＣｅｌｌのタイムアライメントタイマ（ＴＡＴ）には、「満了」および「停止」の２つの機能があってもよい。ＰＣｅｌｌのタイムアライメントタイマ（ＴＡＴ）が満了すると、ＵＥは、すべてのＨＡＲＱバッファをフラッシュしてもよく、物理上りリンク制御チャネル（ＰＵＣＣＨ）および／またはサウンディング基準信号（ＳＲＳ）を解放するよう無線リソース制御（ＲＲＣ）に通知してもよい。さらにＵＥはこの場合、構成された任意の下りリンク割り当ておよび上りリンクグラントをクリアしてもよい。
【００４９】
ＰＣｅｌｌのタイムアライメントタイマ（ＴＡＴ）が停止されても、それに応答してＵＥは何も行わなくてもよい。しかし、ＳＣｅｌｌのタイムアライメントタイマ（ＴＡＴ）が満了するか、または停止される場合について、アクションは現在定義されていないと思われる。本願明細書に開示されるシステムおよび方法に従い、選択的な４つの手法が使用され得る。
【００５０】
１つの手法では、ＰＣｅｌｌのタイムアライメントタイマ（ＴＡＴ）が停止されると（ＰＣｅｌｌにおける競合ベースのランダムアクセス（ＲＡ）手順の間に競合解決が失敗することに基づく）、ＵＥは、ＳＣｅｌｌのタイムアライメントタイマ（ＴＡＴ）を維持または保持してもよく、ＳＣｅｌｌのタイムアライメントタイマ（ＴＡＴ）を停止しなくてもよい。一方、ＰＣｅｌｌのタイムアライメントタイマ（ＴＡＴ）が満了すると、ＵＥは、１つ以上の（例えばすべての）ＳＣｅｌｌの１つ以上のタイムアライメントタイマ（ＴＡＴ）を満了したと見なしてもよく、または１つ以上の（例えばすべての）ＳＣｅｌｌの１つ以上のタイムアライメントタイマ（ＴＡＴ）を停止してもよい。一部の構成では、１つ以上のＳＣｅｌｌが１つのタイムアライメントタイマを有し得るが、各ＳＣｅｌｌが有してよいのは、最大で単一のタイムアライメントタイマである。ＳＣｅｌｌのタイムアライメントタイマ（ＴＡＴ）が満了するか、または停止されても、それに応答してＵＥは何も行わなくてもよい。
【００５１】
別の手法では、ＰＣｅｌｌのタイムアライメントタイマ（ＴＡＴ）が停止されると（ＰＣｅｌｌにおける競合ベースのランダムアクセス（ＲＡ）手順の間に競合解決が失敗することに基づく）、ＵＥは、１つ以上の（例えばすべての）ＳＣｅｌｌの１つ以上のタイムアライメントタイマ（ＴＡＴ）を停止してもよい。一部の構成では、ＳＣｅｌｌのｍａｃ−ＣｏｎｔｅｎｔｉｏｎＲｅｓｏｌｕｔｉｏｎＴｉｍｅｒが満了するか、またはＰＣｅｌｌのｍａｃ−ＣｏｎｔｅｎｔｉｏｎＲｅｓｏｌｕｔｉｏｎＴｉｍｅｒが満了しＰＣｅｌｌのタイムアライメントタイマ（ＴＡＴ）が停止されると、ＳＣｅｌｌのタイムアライメントタイマ（ＴＡＴ）が停止されてもよい。一方、ＰＣｅｌｌのタイムアライメントタイマ（ＴＡＴ）が満了すると、ＵＥは、１つ以上の（例えばすべての）ＳＣｅｌｌの１つ以上のタイムアライメントタイマ（ＴＡＴ）を、満了したと見なしてもよく、または１つ以上の（例えばすべての）ＳＣｅｌｌの１つ以上のタイムアライメントタイマ（ＴＡＴ）を停止してもよい。ＳＣｅｌｌのタイムアライメントタイマ（ＴＡＴ）が満了するか、または停止されても、それに応答してＵＥは何も行わなくてもよい。
【００５２】
さらに別の手法では、ＰＣｅｌｌのタイムアライメントタイマ（ＴＡＴ）が停止されると（ＰＣｅｌｌにおける競合ベースのランダムアクセス（ＲＡ）手順の間に競合解決が失敗することに基づく）、ＵＥは、１つ以上の（例えばすべての）ＳＣｅｌｌの１つ以上のタイムアライメントタイマ（ＴＡＴ）を停止してもよい。したがって、ＳＣｅｌｌのｍａｃ−ＣｏｎｔｅｎｔｉｏｎＲｅｓｏｌｕｔｉｏｎＴｉｍｅｒが満了するか、またはＰＣｅｌｌのｍａｃ−ＣｏｎｔｅｎｔｉｏｎＲｅｓｏｌｕｔｉｏｎＴｉｍｅｒが満了しＰＣｅｌｌのタイムアライメントタイマ（ＴＡＴ）が停止されると、ＳＣｅｌｌのタイムアライメントタイマ（ＴＡＴ）が停止されてもよい。ＳＣｅｌｌのタイムアライメントタイマ（ＴＡＴ）が停止されると、ＵＥは、ＳＣｅｌｌおよびこのＳＣｅｌｌと上りリンク送信タイミングを共有する他の１つ以上のＳＣｅｌｌの１つ以上の（例えばすべての）ＨＡＲＱバッファをフラッシュしてもよく、物理上りリンク制御チャネル（ＰＵＣＣＨ）および／またはサウンディング基準信号（ＳＲＳ）を解放するよう無線リソース制御（ＲＲＣ）に通知することを回避してもよい。さらに、ＵＥは、ＳＣｅｌｌおよびこのＳＣｅｌｌと上りリンク送信タイミングを共有する１つ以上のＳＣｅｌｌに関して、構成された任意の下りリンク割り当ておよび上りリンクグラントをクリアしてもよい。ＰＣｅｌｌのタイムアライメントタイマ（ＴＡＴ）が満了すると、ＵＥは、１つ以上の（例えばすべての）ＳＣｅｌｌの１つ以上のタイムアライメントタイマ（ＴＡＴ）を満了したと見なしてもよい。
【００５３】
さらに別の手法では、ＰＣｅｌｌのタイムアライメントタイマ（ＴＡＴ）が停止されると（ＰＣｅｌｌにおける競合ベースのランダムアクセス（ＲＡ）手順の間に競合解決が失敗することに基づく）、ＵＥは、１つ以上の（例えばすべての）ＳＣｅｌｌの１つ以上のタイムアライメントタイマ（ＴＡＴ）を満了したと見なしてもよい。ＳＣｅｌｌのタイムアライメントタイマ（ＴＡＴ）が満了している場合、ＵＥは、ＳＣｅｌｌおよびこのＳＣｅｌｌと上りリンク送信タイミングを共有する他の１つ以上のＳＣｅｌｌの１つ以上の（例えばすべての）ＨＡＲＱバッファをフラッシュしてもよく、物理上りリンク制御チャネル（ＰＵＣＣＨ）および／またはサウンディング基準信号（ＳＲＳ）を解放するようＲＲＣに通知することを回避してもよい。さらに、ＵＥは、ＳＣｅｌｌおよびこのＳＣｅｌｌと上りリンク送信タイミングを共有する他の１つ以上のＳＣｅｌｌに関して、構成された任意の下りリンク割り当ておよび上りリンクグラントをクリアしてもよい。さらに、ＳＣｅｌｌのタイムアライメントタイマ（ＴＡＴ）が停止されても、それに応答してＵＥは何も行わなくてもよい。ＰＣｅｌｌのタイムアライメントタイマ（ＴＡＴ）が満了すると、ＵＥは、１つ以上の（例えばすべての）ＳＣｅｌｌの１つ以上のタイムアライメントタイマ（ＴＡＴ）を停止してもよい。
【００５４】
以下、ＳＣｅｌｌのＭｓｇ３バッファに関してさらなる詳細を示す。ｅＮＢが、ＰＣｅｌｌにおける進行中の上りリンク送信の間に、ＳＣｅｌｌにおけるランダムアクセス手順を開始することを要求してもよい。現在、ＰＣｅｌｌのＭｓｇ３バッファは、少なくともセル無線ネットワーク一時識別子（Ｃ−ＲＮＴＩ）ＭＡＣ制御要素を有してもよく、場合によっては他の１つ以上のＭＡＣ制御要素および１つ以上のＭＡＣサービスデータユニットＳＤＵ（単数または複数）を有してもよい。ＰＣｅｌｌにおける上りリンク送信は、ランダムアクセス（ＲＡ）手順の成功後に再開され得るため、リリース１０において１つのタイムアライメントでＭＡＣ  ＳＤＵ（単数または複数）を処理することには何の問題もなかった。しかし、ＵＥがＳＣｅｌｌにおいて競合ベースのランダムアクセス手順を実行してランダムアクセス（ＲＡ）手順に失敗すると、これにより、ＰＣｅｌｌにおける通常の上りリンク送信に比べてＭＡＣ  ＳＤＵ（単数または複数）送信の大幅な遅延が生じ得る。したがって、ＳＣｅｌｌのＭｓｇ３バッファには、ＭＡＣ  ＳＤＵ（単数または複数）を有しない方がよいかもしれない。したがって、ＵＥ  ＭＡＣの「多重化・組み立て」エンティティは、ＳＣｅｌｌのＭｓｇ３バッファ内の送信されるＭＡＣ  ＰＤＵにＭＡＣ  ＳＤＵ（単数または複数）を含めなくてもよい。
【００５５】
本願明細書において開示されるシステムおよび方法のいくつかの利点について、以下のとおり記載する。１つの利点となり得るのは、ｅＮＢおよびＵＥが、複数の上りリンクタイムアライメントを有する必要があるシナリオにおいてうまく動作し得るということである。別の利点となり得るのは、ｅＮＢが、異なる物理タイミングをもつ複数のキャリアに関し、ＵＥにリソースを割り当て得るということである。さらに別の利点となり得るのは、本願明細書において開示されるシステムおよび方法によって、複数のタイムアライメントタイマ（ＴＡＴ）を管理するための運用コストおよび／または実装コストが削減され得るということである。
【００５６】
以下、同じ参照番号が機能的に類似した要素を示すことができる図面を参照して、様々な構成について記載する。本願図面に概説され示されるシステムおよび方法は、多種多様に異なった構成に配置および設計され得るであろう。かくして、図面に表現されたいくつかの構成の、以下のより詳細な記載は、請求される範囲を限定するよう意図されてはおらず、単にシステムおよび方法を代表するに過ぎない。
【００５７】
図１は、マルチセル通信のためのシステムおよび方法が実装され得る、ユーザ機器（ＵＥ）１０２および１つ以上のｅｖｏｌｖｅｄ  Ｎｏｄｅ  Ｂ（ｅＮＢ）１６０の一構成を示すブロック図である。ＵＥ１０２は、１つ以上のアンテナ１２２ａ〜ｎを使用してｅｖｏｌｖｅｄ  Ｎｏｄｅ  Ｂ（ｅＮＢ）１６０と通信する。例えばＵＥ１０２は、１つ以上のアンテナ１２２ａ〜ｎを使用してｅＮＢ１６０へ電磁信号を送信し、ｅＮＢ１６０から電磁信号を受信する。ｅＮＢ１６０は、１つ以上のアンテナ１８０ａ〜ｎを使用してＵＥ１０２と通信する。なお、一部の構成では、ｅＮＢ１６０は、Ｎｏｄｅ  Ｂ、ｈｏｍｅ  ｅｖｏｌｖｅｄ  Ｎｏｄｅ  Ｂ（ＨｅＮＢ）、または他の種類の基地局であってもよい。
【００５８】
ＵＥ１０２およびｅＮＢ１６０は、１つ以上のセル（例えばチャネル、キャリアコンポーネントなど）１１９、１２１を使用して相互通信してもよい。例えば、ＵＥ１０２およびｅＮＢ１６０は、セル１１９、１２１を使用して、１つ以上のチャネル（例えば物理上りリンク制御チャネル（ＰＵＣＣＨ）、物理上りリンク共有チャネル（ＰＵＳＣＨ）、物理下りリンク制御チャネル（ＰＤＣＣＨ）など）を送ってもよい。ＰＵＣＣＨは、３ＧＰＰ仕様に準拠した制御チャネルの一例である。他の種類のチャネルも使用され得る。
【００５９】
本願明細書に開示されるシステムおよび方法に従って、通信のために複数の種類のセル１１９、１２１、および／または複数のグループのセル１１９、１２１が使用され得る。本願明細書で使用される「グループ」という用語は、１つ以上のエンティティのグループを示し得る。プライマリセル（ＰＣｅｌｌ）は、３ＧＰＰ仕様書に従ったプライマリセルとされ得る。セカンダリセル（ＳＣｅｌｌ）は、３ＧＰＰ仕様書に従ったセカンダリセルとされ得る。１つの種類のグループは、ＰＣｅｌｌ１１９を含み得る。場合によっては、ＰＣｅｌｌ１１９があるグループに、１つ以上のＳＣｅｌｌ１２１も含まれ得る。別の種類のグループは、１つ以上のＳＣｅｌｌ１２１を含み得る。上述のとおり、各グループ内の１つ以上のサービングセル１１９、１２１の上りリンクは、同じ上りリンク送信タイミングを有し得る。例えば、各グループ内の１つ以上のＳＣｅｌｌ１２１それぞれは、同じ上りリンク送信タイミングを共有し得る。
【００６０】
ある場合には、単一のｅＮＢ１６０が、ＰＣｅｌｌ１１９および１つ以上のＳＣｅｌｌ１２１を使用してＵＥ１０２と通信してもよい。別の場合には、１つのｅＮＢ１６０が、ＰＣｅｌｌ１１９（および例えば任意選択で１つ以上のＳＣｅｌｌ１２１）を使用してＵＥ１０２と通信してもよく、その一方で、別のｅＮＢ１６０が、１つ以上のＳＣｅｌｌ１２１を使用してＵＥ１０２と通信してもよい。
【００６１】
ＵＥ１０２は、１つ以上の送受信機１１８、１つ以上の復調器１１４、１つ以上のデコーダ１０８、１つ以上のエンコーダ１５０、１つ以上の変調器１５４、およびＵＥオペレーション部１２４を含んでもよい。例えば、ＵＥ１０２において、１つ以上の受信経路および／または送信経路が使用されてもよい。構成によっては複数の並列要素（例えば送受信機１１８、デコーダ１０８、復調器１１４、エンコーダ１５０、および変調器１５４）が使用されてもよいが、便宜上、単一の送受信機１１８、デコーダ１０８、復調器１１４、エンコーダ１５０、および変調器１５４のみが示されている。
【００６２】
送受信機１１８は、１つ以上の受信機１２０および１つ以上の送信機１５８を含んでもよい。１つ以上の受信機１２０は、１つ以上のアンテナ１２２ａ〜ｎを使用してｅＮＢ１６０から信号を受信してもよい。例えば受信機１２０は、信号を受信してダウンコンバートし、１つ以上の受信信号１１６を生成してもよい。この１つ以上の受信信号１１６は、復調器１１４に提供されてもよい。１つ以上の送信機１５８は、１つ以上のアンテナ１２２ａ〜ｎを使用して信号をｅＮＢ１６０へ送信してもよい。例えば、１つ以上の送信機１５８は、１つ以上の変調信号１５６をアップコンバートして送信してもよい。
【００６３】
復調器１１４は、１つ以上の受信信号１１６を復調して、１つ以上の復調信号１１２を生成してもよい。この１つ以上の復調信号１１２は、デコーダ１０８に提供されてもよい。ＵＥ１０２は、デコーダ１０８を使用して信号を復号してもよい。デコーダ１０８は、１つ以上の復号信号１０６、１１０を生成してもよい。例えば、第１のＵＥ復号信号１０６は、受信されたペイロードデータ１０４を含んでもよい。第２のＵＥ復号信号１１０は、オーバーヘッドデータおよび／または制御データを含んでもよい。例えば、第２のＵＥ復号信号１１０は、１つ以上の動作を実行するためにＵＥオペレーション部１２４によって使用され得るデータを提供してもよい。
【００６４】
本願明細書で使用される「部」という用語は、特定の要素またはコンポーネントが、ハードウェア、ソフトウェア、またはハードウェアとソフトウェアとの組み合わせにおいて実装され得ることを意味し得る。なお、本願明細書で「部」として示されるいずれの要素も、代わりにハードウェアで実装され得る。例えば、ＵＥオペレーション部１２４は、ハードウェア、ソフトウェアまたは両方の組み合わせにおいて実装され得る。
【００６５】
概して、ＵＥオペレーション部１２４は、ＵＥ１０２が、複数のセル１１９、１２１を使用して１つ以上のｅＮＢ１６０と通信できるようにしてもよい。ＵＥオペレーション部１２４は、ＰＣｅｌｌタイムアライメントタイマ１２６、１つ以上のＳＣｅｌｌタイムアライメントタイマ１３０、Ｍｓｇ３バッファ１３４、ならびに多重化・組み立てエンティティまたは多重化・組み立て部１３６を含んでもよい。
【００６６】
ＰＣｅｌｌタイムアライメントタイマ１２６は、ＰＣｅｌｌ１１９に関連するタイマとされ得る。ＰＣｅｌｌタイムアライメントタイマ１２６は、関連する満了値１２８を有してもよい。満了値１２８は、（到達すると）ＰＣｅｌｌタイムアライメントタイマ１２６が満了する時間を示す。
【００６７】
１つ以上のＳＣｅｌｌタイムアライメントタイマ１３０はそれぞれ、１つ以上のＳＣｅｌｌ１２１に対応してもよい。ＳＣｅｌｌタイムアライメントタイマ１３０の１つ以上は、関連する満了値１３２を有してもよい。一構成では、各ＳＣｅｌｌタイムアライメントタイマ１３０の満了値１３２は無限大である。
【００６８】
一構成では、セル（単数または複数）１１９、１２１のグループ毎に、１つのタイムアライメントタイマ１２６、１３０があってもよい。言い換えれば、１つ以上のセル１１９、１２１が、１つ以上のタイムアライメントタイマ１２６、１３０を共有してもよい。例として、ＰＣｅｌｌ１１９と、任意選択で１つ以上のＳＣｅｌｌ１２１とを含むグループは、ＰＣｅｌｌタイムアライメントタイマ１２６を使用してもよい。さらに、１つ以上のＳＣｅｌｌ１２１のグループは、（例えば指定されたＳＣｅｌｌ１２１に対応する）ＳＣｅｌｌタイムアライメントタイマ１３０を使用してもよい。別の構成では、各セル１１９、１２１が、別々のタイムアライメントタイマ１２６、１３０に対応してもよい。
【００６９】
ＰＣｅｌｌタイムアライメントタイマ１２６の満了値１２８は、ｅＮＢ１６０によって、ＵＥ１０２の移動度および／またはＰＣｅｌｌ１１９のサイズに基づき制御されてもよい。ＵＥ１０２の移動度は、ＰＣｅｌｌ１１９のみにおいて管理されてもよい。したがって、満了値１２８は、ＰＣｅｌｌ１１９に関して判断されてもよい。よって、ＰＣｅｌｌ１１９およびＳＣｅｌｌ（単数または複数）１２１のタイミングアドバンスコマンドがほぼ同じタイミングで報知されるのであれば、１つ以上のＳＣｅｌｌタイムアライメントタイマ１３０は、それらがいつ満了すべきかを管理する必要はない。
【００７０】
１つ以上のＳＣｅｌｌタイムアライメントタイマ１３０の満了値１３２は、無限大とされてもよい。なお、ＰＣｅｌｌタイムアライメントタイマ１２６が満了すると、対応する１つ以上のＳＣｅｌｌタイムアライメントタイマ１３０は、満了し（例えば満了としてセットされ）てもよく、停止されてもよい。このようにして、１つ以上のＳＣｅｌｌタイムアライメントタイマ１３０の満了が、ＰＣｅｌｌタイムアライメントタイマ１２６によって制御されてもよい。
【００７１】
この手法によって、運用コストおよび／または実装コストが削減され得る。一構成では、ＳＣｅｌｌ１２１の上りリンクタイムアライメントを有するようＵＥ１０２が構成されると、１つ以上のＳＣｅｌｌ１２１に関する満了値１３２は、ＵＥ１０２によって無限大にセットされてもよい。あるいは、１つ以上のＳＣｅｌｌ１２１の無限大の満了値１３２が、ｅＮＢ１６０によってＵＥ１０２に信号伝達されてもよい。ＰＣｅｌｌタイムアライメントタイマ１２６が満了すると、ＵＥ１０２は、１つ以上のＳＣｅｌｌタイムアライメントタイマ１３０を満了したと見なすか、もしくは満了としてセットし、かつ／または１つ以上のＳＣｅｌｌタイムアライメントタイマ１３０を停止してもよい。しかし、１つ以上のＳＣｅｌｌタイムアライメントタイマ１３０は、初期の満了値１３２として無限大を有するため、それ自体で満了することは決してなくてもよい。
【００７２】
なお、ＰＣｅｌｌタイムアライメントタイマ１２６の満了（例えば、ＰＣｅｌｌタイムアライメントタイマ１２６がその満了値１２８に到達する場合）は、ＰＣｅｌｌタイムアライメントタイマ１２６を停止することとは異なってもよい。本願明細書に開示されるシステムおよび方法の一部の構成では、ＰＣｅｌｌタイムアライメントタイマ１２６は、ランダムアクセス手順の失敗が原因で停止され得る。この場合、１つ以上のＳＣｅｌｌタイムアライメントタイマ１３０に基づく１つ以上の動作が実行されてもよい。
【００７３】
一手法では、この場合（例えば、ランダムアクセス手順の失敗が原因でＰＣｅｌｌタイムアライメントタイマ１２６が停止される場合）、ＳＣｅｌｌタイムアライメントタイマ１３０は維持され（例えば実行を継続させられ）てもよい。別の手法では、この場合、ＳＣｅｌｌタイムアライメントタイマ１３０は停止されてもよい。さらに別の手法では、この場合、ＳＣｅｌｌタイムアライメントタイマ１３０は満了としてセットされてもよい。一部の構成では、さらなる動作が実行されてもよい。ランダムアクセス手順の失敗が原因でＰＣｅｌｌタイムアライメントタイマ１２６が停止される場合について、さらなる詳細を以下に示す。
【００７４】
Ｍｓｇ３バッファ１３４は、ｅＮＢ１６０へ送信されるデータを保持する１つ以上のバッファであってもよい。例えば、Ｍｓｇ３バッファ１３４は、セル無線ネットワーク一時識別子（Ｃ−ＲＮＴＩ）ＭＡＣ制御要素、その他ＭＡＣ制御要素、ＭＡＣプロトコルデータユニット（ＰＤＵ）、その他ＭＡＣサービスデータユニット（ＳＤＵ）、および／またはその他データを保持してもよい。
【００７５】
一部の構成では、単一のＭｓｇ３バッファ１３４のみが使用されてもよい。他の構成では、複数のＭｓｇ３バッファ１３４が使用されてもよい。例えば、ＰＣｅｌｌ１１９に対応するＭｓｇ３バッファ１３４が使用されてもよく、その一方で、１つ以上のＳＣｅｌｌ１２１に対応する１つ以上のさらなるＭｓｇ３バッファ１３４が使用されてもよい。例えば、各ＳＣｅｌｌ１２１は、２つ以上のＭｓｇ３バッファ１３４を有してはならない。
【００７６】
多重化・組み立てエンティティまたは多重化・組み立て部１３６は、データを多重化し、かつ／またはデータを送信されるユニットに組み立ててもよい。例えば、多重化・組み立てエンティティまたは多重化・組み立て部１３６は、送信されるＭＡＣ制御要素（例えばＭＡＣプロトコルデータユニット（ＰＤＵ））を生成してもよい。一部の構成では、多重化・組み立てエンティティまたは多重化・組み立て部１３６によって生成されたデータユニットは、Ｍｓｇ３バッファ（単数または複数）１３４に提供および／または記憶されてもよい。一部の構成では、多重化・組み立てエンティティまたは多重化・組み立て部１３６は、ＳＣｅｌｌ１２１のＭｓｇ３バッファ（単数または複数）１３４内の送信されるＭＡＣ  ＰＤＵ内にＭＡＣ  ＳＤＵを入れることを回避してもよい。この点に関するさらなる詳細を以下に示す。
【００７７】
一部の構成では、ＵＥ１０２は、複数のセル１１９、１２１を判断してもよい。例えば、ＵＥ１０２は、１つ以上の周波数帯を監視して、１つ以上のｅＮＢ１６０がセル１１９、１２１へのアクセスを提供し得るかどうかを検出してもよい。例として、ＵＥ１０２は、１つ以上のｅＮＢ１６０が通信用にセル（単数または複数）１１９、１２１を提供し得ることを指示するブロードキャスト、タイミング、またはビーコン信号を、該１つ以上のｅＮＢ１６０から受信してもよい。別の例では、ＵＥ１０２が、信号またはメッセージを１つ以上のｅＮＢ１６０へ送信してもよい。その結果、該１つ以上のｅＮＢ１６０は、ＵＥ１０２に応答して１つ以上のセル１１９、１２１が通信に使用されてもよいことを指示する信号を送ってもよい。
【００７８】
一構成において、ＵＥ１０２は、その上りリンク送信タイミングを、プライマリセル（ＰＣｅｌｌ）１１９の物理上りリンク制御チャネル（ＰＵＣＣＨ）、物理上りリンク共有チャネル（ＰＵＳＣＨ）、および／またはサウンディング基準信号（ＳＲＳ）に関して、タイミングアドバンスコマンドに基づいて調整してもよい。ＵＥ１０２がランダムアクセスプリアンブルを送った後に、ランダムアクセスレスポンス内のタイミングアドバンスコマンドが、ｅＮＢ１６０からＵＥ１０２へ送信されてもよい。さらに、別のタイミングアドバンスコマンド（タイミングアドバンスコマンドＭＡＣ要素を指す）が、ｅＮＢ１６０がＵＥ１０２の上りリンク送信タイミングを変更したい任意の時点でｅＮＢ１６０からＵＥ１０２へ送信されてもよい。対応するｅＮＢ１６０に対するＵＥ１０２の相対位置が変化するにつれて、上りリンク送信タイミングを随時調整して、ＲＦ遅延の変化に対処する必要があることもある。このようにしてｅＮＢ１６０は、ＵＥからｅＮＢ１６０への信号がすべて同時に、または例えば直交周波数分割多重（ＯＦＤＭ）シンボルにおけるサイクリックプレフィックス以内にｅＮＢ１６０に到達するように規定し得る。
【００７９】
ランダムアクセスレスポンスの場合には、上記のように１１ビットのタイミングアドバンスコマンドＴＡが使用されてもよい。他の場合には、上記のように６ビットのタイミングアドバンスコマンドＴＡが、現在のＮＴＡ値の調整を指示してもよい。
【００８０】
一構成では、ＰＣｅｌｌ１１９があるグループ内の各ＳＣｅｌｌ１２１のＰＵＳＣＨおよび／またはＳＲＳの上りリンク送信タイミングは、対応するＰＣｅｌｌ１１９の上りリンク送信タイミングと同じであってもよい。本願明細書に開示されるシステムおよび方法によれば、ＰＣｅｌｌ１１９がないグループ内の各ＳＣｅｌｌ１２１のＰＵＳＣＨおよび／またはＳＲＳの上りリンク送信タイミングは、（例えば特定の１つのＳＣｅｌｌ１２１と）同じ上りリンク送信タイミングを共有してもよい。なお、各サービングセル１１９、１２１は、下りリンクを有し、さらに任意選択で上りリンクを有してもよい。さらに、各サービング下りリンクキャリアおよび上りリンクキャリアは、１つのサービングセル１１９、１２１に属してもよい。
【００８１】
ＵＥ１０２からの信号は、特定の１つ以上の時間に１つ以上のｅＮＢ１６０に到達する必要があることもあり、そのため、上りリンク送信タイミングの調整が必要とされ得る。例えば、ｅＮＢ１６０へ送信されるすべての信号は、同時に、またはＯＦＤＭシンボルにおけるサイクリックプレフィックス以内に、ｅＮＢ１６０に到達する必要があることもある。
【００８２】
ランダムアクセスレスポンス内のタイミングアドバンスコマンドは、ＵＥ１０２がランダムアクセスプリアンブルをＰＣｅｌｌ１１９またはＳＣｅｌｌ１２１において送った後に、ＰＣｅｌｌ１１９またはＳＣｅｌｌ１２１においてｅＮＢ１６０から送信されてＵＥ１０２によって受信されてもよい。一構成では、このランダムアクセスレスポンスは、ランダムアクセスレスポンスを含むＰＤＳＣＨをスケジューリングするために使用される識別子であるランダムアクセス無線ネットワーク一時識別子（ＲＡ−ＲＮＴＩ：ｒａｎｄｏｍ  ａｃｃｅｓｓ  ｒａｄｉｏ  ｎｅｔｗｏｒｋ  ｔｅｍｐｏｒａｒｙ  ｉｄｅｎｔｉｆｉｅｒ）を含むＰＤＣＣＨによってスケジューリングされてもよい。
【００８３】
ＵＥオペレーション部１２４は、情報１４２をエンコーダ１５０に提供してもよい。この情報１４２は、エンコーダ１５０に対する命令および／または符号化されるデータを含んでもよい。例えば、ＵＥオペレーション部１２４は、ＰＣｅｌｌ１１９および／または１つ以上のＳＣｅｌｌ１２１の送信タイミングをシフトするようにエンコーダ１５０に命令し、かつ／または符号化率に関してエンコーダ１５０に命令してもよい。さらに、または代わりに、情報１４２は、ＭＡＣ  ＰＤＵ、ランダムアクセスプリアンブル、Ｍｓｇ３バッファ１３４からのデータ、肯定応答または否定応答（ＡＣＫ／ＮＡＣＫ）、および／またはその他制御データなど、符号化されるデータを含んでもよい。
【００８４】
エンコーダ１５０は、送信データ１４６および／またはＵＥオペレーション部１２４によって提供された他の情報１４２を符号化してもよい。例えば、データ１４６および／または他の情報１４２の符号化は、誤り検出および／または訂正コーディング、送信のための空間、時間および／または周波数リソースへのデータのマッピングなどを伴ってもよい。エンコーダ１５０は、符号化データ１５２を変調器１５４に提供してもよい。
【００８５】
ＵＥオペレーション部１２４は、情報１４４を変調器１５４に提供してもよい。この情報１４４は、変調器１５４に対する命令を含んでもよい。例えば、ＵＥオペレーション部１２４は、ＰＣｅｌｌ１１９および／または１つ以上のＳＣｅｌｌ１２１の送信タイミングをシフトするよう変調器１５４に命令し、かつ／または変調型（例えばコンステレーションマッピング）に関して変調器１５４に命令してもよい。変調器１５４は、符号化データ１５２を変調して、１つ以上の変調信号１５６を１つ以上の送信機１５８に提供してもよい。
【００８６】
ＵＥオペレーション部１２４は、情報１４０を１つ以上の送信機１５８に提供してもよい。この情報１４０は、１つ以上の送信機１５８に対する命令を含んでもよい。例えば、ＵＥオペレーション部１２４は、ＰＣｅｌｌ１１９および／または１つ以上のＳＣｅｌｌ１２１の送信タイミングをシフトするように、１つ以上の送信機１５８に命令してもよい。１つ以上の送信機１５８は、変調信号（単数または複数）１５６をアップコンバートして１つ以上のｅＮＢ１６０へ送信してもよい。なお、複数の上りリンクタイミング調整を実行するために、ＵＥ１０２が２つ以上の送信機１５８を有する必要があることもある。
【００８７】
１つ以上のｅＮＢ１６０はそれぞれ、１つ以上の送受信機１７６、１つ以上の復調器１７２、１つ以上のデコーダ１６６、１つ以上のエンコーダ１０９、１つ以上の変調器１１３、およびｅＮＢオペレーション部１８２を含んでもよい。例えば、ｅＮＢ１６０において、１つ以上の受信経路および／または送信経路が使用されてもよい。構成によっては複数の並列要素（例えば送受信機１７６、デコーダ１６６、復調器１７２、エンコーダ１０９、および変調器１１３）が使用されてもよいが、便宜上、単一の送受信機１７６、デコーダ１６６、復調器１７２、エンコーダ１０９、および変調器１１３のみが示されている。
【００８８】
送受信機１７６は、１つ以上の受信機１７８および１つ以上の送信機１１７を含んでもよい。１つ以上の受信機１７８は、１つ以上のアンテナ１８０ａ〜ｎを使用して信号をＵＥ１０２から受信してもよい。例えば受信機１７８は、信号を受信してダウンコンバートし、１つ以上の受信信号１７４を生成してもよい。この１つ以上の受信信号１７４は、復調器１７２に提供されてもよい。１つ以上の送信機１１７は、１つ以上のアンテナ１８０ａ〜ｎを使用して信号をＵＥ１０２へ送信してもよい。例えば、１つ以上の送信機１１７は、１つ以上の変調信号１１５をアップコンバートして送信してもよい。
【００８９】
復調器１７２は、１つ以上の受信信号１７４を復調して、１つ以上の復調信号１７０を生成してもよい。この１つ以上の復調信号１７０は、デコーダ１６６に提供されてもよい。ｅＮＢ１６０は、デコーダ１６６を使用して信号を復号してもよい。デコーダ１６６は、１つ以上の復号信号１６４、１６８を生成してもよい。例えば、第１のｅＮＢ復号信号１６４は、受信されたペイロードデータ１６２を含んでもよい。第２のｅＮＢ復号信号１６８は、オーバーヘッドデータおよび／または制御データを含んでもよい。例えば、第２のＵＥ復号信号１６８は、１つ以上の動作を実行するためにｅＮＢオペレーション部１８２によって使用され得るデータを提供してもよい。
【００９０】
概して、ｅＮＢオペレーション部１８２は、ｅＮＢ１６０が、１つ以上のセル１１９、１２１を使用しているＵＥ１０２と通信できるようにしてもよい。ｅＮＢオペレーション部１８２は、１つ以上のセル１１９、１２１の送信タイミングを管理してもよい。例えば、ｅＮＢオペレーション部１８２は、タイミング調整メッセージ（例えばタイミングアドバンスコマンド）をＵＥ１０２に送って、１つ以上のセル１１９、１２１の送信タイミングを調整してもよい。例として、ＵＥ１０２は、ｅＮＢ１６０から送られる１つ以上のタイミングアドバンスコマンドに基づき、ＵＥ１０２から送信され該ｅＮＢ１６０に対応する信号のタイミングを、進めても遅らせてもよい。送信タイミングは、セル１１９、１２１（例えばセル１１９、１２１のグループ）間で異なってもよい。
【００９１】
一構成において、ＵＥ１０２は、その上りリンク送信タイミングを、プライマリセル（ＰＣｅｌｌ）１１９の物理上りリンク制御チャネル（ＰＵＣＣＨ）、物理上りリンク共有チャネル（ＰＵＳＣＨ）、および／またはサウンディング基準信号（ＳＲＳ）に関して、ｅＮＢ１６０からのタイミングアドバンスコマンド（例えばメッセージ）に基づいて調整してもよい。ＵＥ１０２がランダムアクセスプリアンブルを（ｅＮＢ１６０へ）送った後に、ランダムアクセスレスポンス内のタイミングアドバンスコマンドが、ｅＮＢ１６０からＵＥ１０２へ送信されてもよい。さらに、別のタイミングアドバンスコマンド（タイミングアドバンスコマンドＭＡＣ要素を指す）が、ｅＮＢ１６０がＵＥ１０２の上りリンク送信タイミングを変更したい任意の時点でｅＮＢ１６０からＵＥ１０２へ送信されてもよい。対応するｅＮＢ１６０に対するＵＥ１０２の相対位置が変化するにつれて、上りリンク送信タイミングを随時調整して、ＲＦ遅延の変化に対処する必要があることもある。このようにしてｅＮＢ１６０は、ＵＥからｅＮＢ１６０への信号がすべて同時に、または例えば直交周波数分割多重（ＯＦＤＭ）シンボルにおけるサイクリックプレフィックス以内にｅＮＢ１６０に到達するように規定し得る。
【００９２】
ランダムアクセスレスポンスの場合には、上記のように１１ビットのタイミングアドバンスコマンドＴＡがｅＮＢ１６０から送られてもよい。他の場合には、上記のように６ビットのタイミングアドバンスコマンドＴＡがｅＮＢ１６０から送られてもよく、現在のＮＴＡ値の調整を指示してもよい。
【００９３】
ランダムアクセスレスポンス内のタイミングアドバンスコマンドは、ＵＥ１０２がランダムアクセスプリアンブルをＰＣｅｌｌ１１９またはＳＣｅｌｌ１２１において送った後に、ＰＣｅｌｌ１１９またはＳＣｅｌｌ１２１においてｅＮＢ１６０から送信されてＵＥ１０２によって受信されてもよい。このランダムアクセスレスポンスは、ランダムアクセスレスポンスを含むＰＤＳＣＨをスケジューリングするために使用される識別子であるランダムアクセス無線ネットワーク一時識別子（ＲＡ−ＲＮＴＩ）を含むＰＤＣＣＨによってスケジューリングされてもよい。一部の構成では、ランダムアクセスレスポンスの対象であるＰＣｅｌｌ１１９またはＳＣｅｌｌ１２１は、ランダムアクセスレスポンスがどのサービングセル１１９、１２１にスケジューリングされるかによって指示されてもよい。ランダムアクセスレスポンスがスケジューリングされるサービングセルは、ランダムアクセスレスポンスのためのＨＡＲＱエンティティ、ＰＤＣＣＨ、またはＰＤＳＣＨを有するセル１１９、１２１によって指示されてもよい。
【００９４】
別のタイミングアドバンスコマンド（例えばタイミングアドバンスコマンドＭＡＣ要素）が、ｅＮＢ１６０がＵＥ１０２の上りリンク送信タイミングを変更したい任意の時点でｅＮＢ１６０からＵＥ１０２へ送信され得る。受信されたタイミングアドバンスコマンドがＰＣｅｌｌ１１９に対するものか、またはＳＣｅｌｌ１２１に対するものかは、タイミングアドバンスコマンドがどのサービングセル１１９、１２１にスケジューリングされるかに基づいて指示されてもよい。例えば、タイミングアドバンスコマンドがどのセル１１９、１２１に対するものかは、タイミングアドバンスコマンドのためのＨＡＲＱエンティティ、ＰＤＣＣＨ、またはＰＤＳＣＨを有するセルによって指示されてもよい。
【００９５】
ｅＮＢオペレーション部１８２は、情報１０１をエンコーダ１０９に提供してもよい。この情報１０１は、エンコーダ１０９に対する命令および／または符号化されるデータを含んでもよい。例えば、ｅＮＢオペレーション部１８２は、符号化率に関してエンコーダ１０９に命令してもよい。さらに、または代わりに、情報１０１は、タイミングアドバンスコマンド、スケジューリング情報、チャネル割り当て、および／またはその他制御情報を指示するメッセージなど、符号化されるデータを含んでもよい。
【００９６】
エンコーダ１０９は、送信データ１０５および／またはｅＮＢオペレーション部１８２によって提供された他の情報１０１を符号化してもよい。例えば、データ１０５および／または他の情報１０１の符号化は、誤り検出および／または訂正コーディング、送信のための空間、時間および／または周波数リソースへのデータのマッピングなどを伴ってもよい。エンコーダ１０９は、符号化データ１１１を変調器１１３に提供してもよい。送信データ１０５は、ＵＥ１０２へ中継されるネットワークデータを含んでもよい。
【００９７】
ｅＮＢオペレーション部１８２は、情報１０３を変調器１１３に提供してもよい。この情報１０３は、変調器１１３に対する命令を含んでもよい。例えば、ｅＮＢオペレーション部１８２は、変調型（例えばコンステレーションマッピング）に関して変調器１１３に命令してもよい。変調器１１３は、符号化データ１１１を変調して、１つ以上の変調信号１１５を１つ以上の送信機１１７に提供してもよい。
【００９８】
ｅＮＢオペレーション部１８２は、情報１９８を１つ以上の送信機１１７に提供してもよい。この情報１９８は、１つ以上の送信機１１７に対する命令を含んでもよい。例えば、ｅＮＢオペレーション部１８２は、１つ以上のセル１１９、１２１を使用して送信するよう１つ以上の送信機１１７に命令してもよい。１つ以上の送信機１１７は、変調信号（単数または複数）１１５をアップコンバートしてＵＥ１０２へ送信してもよい。
【００９９】
図２は、ＵＥ１０２上でマルチセル通信を可能にする方法２００の一構成を示すフロー図である。ＵＥ１０２は、対応するプライマリセル（ＰＣｅｌｌ）タイムアライメントタイマ１２６をもつＰＣｅｌｌ１１９を判断２０２してもよい。例えばＵＥ１０２は、ＰＣｅｌｌ１１９が通信に使用され得ることを指示する同期信号、ビーコン、メッセージなどを１つ以上のｅＮＢ１６０から受信してもよい。さらにｅＮＢ１６０は、ＰＣｅｌｌ１１９の満了値１２８を設定するメッセージを送ってもよい。例えばＵＥ１０２は、ＰＣｅｌｌ１１９の満了値１２８（例えば５００ｍｓ、７５０ｍｓ、１２８０ｍｓ、１９２０ｍｓ、２５６０ｍｓ、５１２０ｍｓ、１０２４０ｍｓ、または無限大）を指示するメッセージをｅＮＢ１６０から受信してもよい。さらに、または代わりに、ＵＥ１０２は、ＵＥ１０２が１つ以上のｅＮＢ１６０との通信を求めていることを指示する信号またはメッセージ（例えばアクセス要求、認証情報など）を１つ以上のｅＮＢ１６０に送ってもよい。この場合、１つ以上のｅＮＢ１６０は、ＵＥ１０２が１つ以上のｅＮＢ１６０とＰＣｅｌｌ１１９を使用して通信することを許可する信号を送ることによって応答してもよい。
【０１００】
ＵＥ１０２は、無限大の満了値１３２を有する対応するセカンダリセル（ＳＣｅｌｌ）タイムアライメントタイマ１３０をもつＳＣｅｌｌ１２１を判断２０４してもよい。一構成では、ＳＣｅｌｌ１２１の上りリンクタイムアライメントを有するようＵＥ１０２が構成されると、１つ以上のＳＣｅｌｌ１２１の満了値１３２が、ＵＥ１０２によって無限大にセットされてもよい。あるいは、１つ以上のｅＮＢ１６０によって、１つ以上のＳＣｅｌｌ１２１の無限大の満了値１３２がＵＥ１０２に信号伝達されてもよい。
【０１０１】
ＵＥ１０２は、ＰＣｅｌｌタイムアライメントタイマ１２６が満了したかどうかを判断２０６してもよい。例えばＵＥ１０２は、ＰＣｅｌｌタイムアライメントタイマ１２６によって指示される時間が、ＰＣｅｌｌタイムアライメントタイマ１２６に関連する満了値１２８を満たしたか、または超過したかを判断してもよい。
【０１０２】
ＰＣｅｌｌタイムアライメントタイマ１２６が満了した場合、ＵＥ１０２は、ＳＣｅｌｌタイムアライメントタイマ１３０を満了としてセット２０８してもよい。例えばＵＥ１０２は、ＳＣｅｌｌタイムアライメントタイマ１３０を非実行中状態にセット２０８してもよい。一部の構成では、ＰＣｅｌｌタイムアライメントタイマ１２６が満了した場合、ＵＥ１０２は、１つ以上の（例えばすべての）ＳＣｅｌｌタイムアライメントタイマ１３０を満了としてセット２０８してもよい。
【０１０３】
ＰＣｅｌｌタイムアライメントタイマ１２６が満了していなければ、ＵＥ１０２は、ランダムアクセス手順の失敗が原因でＰＣｅｌｌタイムアライメントタイマ１２６が停止したかどうかを判断２１０してもよい。例えば、ＰＣｅｌｌ１１９のｍａｃ−ＣｏｎｔｅｎｔｉｏｎＲｅｓｏｌｕｔｉｏｎＴｉｍｅｒが満了した場合、ＵＥ１０２は、ランダムアクセス手順の失敗が原因でＰＣｅｌｌタイムアライメントタイマ１２６を停止してもよい。この場合、ＵＥ１０２は、ＳＣｅｌｌタイムアライメントタイマ１３０に基づく動作を実行２１２してもよい。一部の構成では、ＵＥ１０２は、複数のＳＣｅｌｌタイムアライメントタイマ１３０に基づく動作を実行２１２してもよい。１つ以上の動作が実行２１２されてもよい。以下により詳細に例を示す。
【０１０４】
ＵＥ１０２動作は、最終的に、ＰＣｅｌｌタイムアライメントタイマ１２６が満了したかどうかの判断２０６に戻ってもよい（例えばランダムアクセス手順の失敗が原因でＰＣｅｌｌタイムアライメントタイマが停止していない場合、またはＳＣｅｌｌタイムアライメントタイマ１３０を満了としてセット２０８した後、またはＳＣｅｌｌタイムアライメントタイマ１３０に基づく動作を実行２１２した後）。なお、図２に示されているステップは、構成によって様々な順序で実行され得る。代わりの構成では、例えば、ＵＥ１０２はまず、ランダムアクセス手順の失敗が原因でＰＣｅｌｌタイムアライメントタイマ１２６が停止したかどうかを判断２１０してもよく、続いて、ランダムアクセス手順の失敗が原因でＰＣｅｌｌタイムアライメントタイマ１２６が停止していなければ、ＵＥ１０２は、ＰＣｅｌｌタイムアライメントタイマ１２６が満了したかどうかを判断２０６してもよい。さらに別の選択肢では、これらの判断２０６、２１０は、必ずしも連続して実行されないトリガに基づいてもよい。
【０１０５】
図３は、ＳＣｅｌｌタイムアライメントタイマを、ＰＣｅｌｌタイムアライメントタイマの満了に基づいて制御する一例を示す図である。具体的には、図３は、ＵＥ３０２上での経時的３３８なＰＣｅｌｌ３１９アクティビティおよびＳＣｅｌｌ３２１アクティビティの一例を示す。この例では、ＰＣｅｌｌタイムアライメントタイマは、最初は実行中でなく３８６ａ、ＳＣｅｌｌタイムアライメントタイマは、最初は実行中でない３９２ａ。ＵＥ３０２は、１つ以上のｅＮＢ３６０ａ〜ｂと通信してもよい。なお、ｅＮＢ  Ａ３６０ａおよびｅＮＢ  Ｂ３６０ｂは、同じｅＮＢであっても異なるｅＮＢであってもよい。
【０１０６】
ＵＥ３０２は、ＰＣｅｌｌ３１９においてｅＮＢ  Ａ３６０ａからＰＣｅｌｌタイミングアドバンスコマンド３８４を受信してもよい。これが生じると、ＵＥ３０２は、ＰＣｅｌｌタイムアライメントタイマを開始してもよく、その結果、ＰＣｅｌｌタイムアライメントタイマは実行中３８８となる。この例では、ＵＥ３０２はさらに、ＳＣｅｌｌタイミングアドバンスコマンド３９６を、ＳＣｅｌｌ３２１においてｅＮＢ  Ｂ３６０ｂから受信する。これが生じると、ＵＥ３０２は、ＳＣｅｌｌタイムアライメントタイマを開始してもよく、その結果、ＳＣｅｌｌタイムアライメントタイマは実行中３９４となる。
【０１０７】
この例では、ＰＣｅｌｌタイムアライメントタイマが満了３９０するまで、ＰＣｅｌｌタイムアライメントタイマは実行中３８８のままであり、ＳＣｅｌｌタイムアライメントタイマは実行中３９４のままである。ＰＣｅｌｌタイムアライメントタイマの満了値に到達すると、ＰＣｅｌｌタイムアライメントタイマは満了３９０してもよい。この時点で、ＰＣｅｌｌタイムアライメントタイマは実行中でない３８６ｂ。ＵＥ３０２は、ＰＣｅｌｌタイムアライメントタイマが満了３９０すると、ＳＣｅｌｌタイムアライメントタイマを満了としてセットしてもよい。その結果、ＳＣｅｌｌタイムアライメントタイマは、実行中でなくなる３９２ｂ。図３に示されているとおり、本願明細書のシステムおよび方法によれば、１つ以上のＳＣｅｌｌタイムアライメントタイマは、無限大の満了値を有してもよく、その代わり、ＰＣｅｌｌタイムアライメントタイマの満了３９０によりトリガされると満了してもよい。
【０１０８】
図４は、ＵＥ１０２上でマルチセル通信を可能にする方法４００のより具体的な構成を示すフロー図である。上記のように、ＵＥ１０２は、タイムアドバンス（ＴＡ）コマンド手順を処理するために複数のタイムアライメントタイマ１２６、１３０を有してもよい。タイムアライメントタイマ１２６、１３０の満了値１２８、１３２は、ＵＥ１０２の移動度および／またはセル１１９、１２１のサイズに基づき、１つ以上のｅＮＢ１６０によって制御されてもよい。ＵＥ１０２の移動度は、ＰＣｅｌｌ１１９のみにおいて管理されてもよい。そのため、満了値１２８はＰＣｅｌｌ１１９に関して決定されてもよい。したがって、ＰＣｅｌｌ１１９およびＳＣｅｌｌ（単数または複数）１２１のタイミングアドバンスコマンドがほぼ同じタイミングで報知されれば、ＳＣｅｌｌタイムアライメントタイマ（単数または複数）１３０が、それらがいつ満了すべきかを管理する必要はないと思われる。よって、１つ以上のＳＣｅｌｌ１２１のタイムアライメントタイマ満了値１３２は、無限大とされてもよい。なお、ＰＣｅｌｌタイムアライメントタイマ１２６が満了すれば、対応するタイムアライメントタイマ（単数または複数）１３０は、満了しても停止してもよい。これは、ＳＣｅｌｌ１２１のタイムアライメントタイマの満了が、ＰＣｅｌｌタイムアライメントタイマ１２６によって制御され得るということを意味する。
【０１０９】
この手法によって、運用コストおよび／または実装コストが削減され得る。一構成では、ＳＣｅｌｌ１２１の上りリンクタイムアライメントを有するようＵＥ１０２が構成されると、１つ以上のＳＣｅｌｌ１２１の満了値１３２が、ＵＥ１０２によって無限大にセットされてもよい。あるいは、１つ以上のＳＣｅｌｌ１２１の無限大の満了値１３２が、ｅＮＢ１６０によってＵＥ１０２に信号伝達されてもよい。ＰＣｅｌｌタイムアライメントタイマ１２６が満了すると、ＵＥ１０２は、１つ以上のＳＣｅｌｌタイムアライメントタイマ１３０を満了としてセットし、かつ／または１つ以上のＳＣｅｌｌタイムアライメントタイマ１３０を停止してもよい。しかし、１つ以上のＳＣｅｌｌタイムアライメントタイマ１３０は、初期の満了値１３２として無限大を有するため、それ自体で満了することは決してなくてもよい。
【０１１０】
一構成では、ＵＥ１０２は以下のように動作してもよい。ＵＥ１０２は、ＰＣｅｌｌタイムアライメントタイマ１２６が満了したかどうかを判断４０２してもよい。ＰＣｅｌｌタイムアライメントタイマ１２６が満了していなければ、ＵＥ１０２は、サービングセルのタイミングアドバンスコマンドが受信されるかどうかを判断４１２してもよい。一方、ＰＣｅｌｌタイムアライメントタイマ１２６が満了すると、ＵＥ１０２は、すべてのＨＡＲＱバッファをフラッシュ４０４し、物理上りリンク制御チャネル（ＰＵＣＣＨ）および／またはサウンディング基準信号（ＳＲＳ）を解放するよう無線リソース制御（ＲＲＣ）に通知４０６してもよい。さらにＵＥ１０２は、構成された任意の下りリンク割り当ておよび上りリンクグラントをクリア４０８してもよい。
【０１１１】
ＵＥ１０２は、１つ以上の（例えばすべての）ＳＣｅｌｌタイムアライメントタイマ１３０を満了としてセット４１０しても、または１つ以上の（例えばすべての）ＳＣｅｌｌタイムアライメントタイマ１３０を停止４１０してもよい。なお、ＵＥ１０２は、各グループのタイムアライメントタイマ１２６が実行中でないとき、可能なランダムアクセスプリアンブル送信を除いて、１つ以上のセル１１９、１２１のグループそれぞれにおいていかなる上りリンク送信も実行してはならない。
【０１１２】
ＵＥ１０２は、サービングセル（例えばＰＣｅｌｌ１１９またはＳＣｅｌｌ１２１）のタイミングアドバンスコマンドが受信されるかどうかを判断４１２してもよい。タイミングアドバンスコマンドが受信されなければ、ＵＥ１０２は、ＰＣｅｌｌタイムアライメントタイマ１２６が満了しているかどうかの判断４０２に戻ってもよい。サービングセルのタイミングアドバンスコマンドが受信されれば、ＵＥ１０２は、タイミングアドバンスコマンドがサービングセルのＭＡＣ制御要素の一部であるか、またはタイミングアドバンスコマンドがサービングセルのランダムアクセスレスポンスメッセージ内で受信されているかを判断４１４してもよい。
【０１１３】
タイミングアドバンスコマンドがサービングセルのＭＡＣ制御要素の一部であれば、ＵＥ１０２は、サービングセルに対してタイミングアドバンスコマンドを適用４１８してもよい。ＵＥ１０２はさらに、サービングセルのタイムアライメントタイマ１２６、１３０を開始または再開始４２０してもよい。ＵＥ１０２は、ＰＣｅｌｌタイムアライメントタイマ１２６が満了したかどうかの判断４０２に戻ってもよい。
【０１１４】
タイミングアドバンスコマンドがランダムアクセスレスポンスメッセージ内で受信されていれば、ＵＥ１０２は、ランダムアクセスプリアンブルがＵＥ１０２  ＭＡＣによって選択されたかどうかを判断４１６してもよい。ランダムアクセスプリアンブルがＵＥ１０２  ＭＡＣによって選択されなかった場合、ＵＥ１０２は、サービングセル１１９、１２１に対してタイミングアドバンスコマンドを適用４１８して、サービングセル１１９、１２１のタイムアライメントタイマ１２６、１３０を開始または再開始４２０してもよい。
【０１１５】
ランダムアクセスレスポンスがＵＥ１０２  ＭＡＣによって選択された場合、ＵＥ１０２は、サービングセルタイムアライメントタイマ１２６、１３０が実行中であるかどうかを判断４２２してもよい。サービングセル１１９、１２１のタイムアライメントタイマ１２６、１３０が実行中でなければ、ＵＥ１０２は、サービングセルに対してタイミングアドバンスコマンドを適用４２６し、サービングセル１１９、１２１のタイムアライメントタイマ１２６、１３０を開始４２８してもよい。さらにＵＥ１０２は、競合解決手順（例えばランダムアクセス手順）が失敗すると、サービングセル１１９、１２１のタイムアライメントタイマ１２６、１３０を停止４３０してもよい。他の場合には（例えばタイムアライメントタイマが実行中である）、ＵＥ１０２は、受信されたタイミングアドバンスコマンドを無視４２４してもよい。
【０１１６】
一部の構成では、ＵＥ１０２がＰＣｅｌｌ１１９のＰＣｅｌｌタイムアライメントタイマ１２６を競合解決またはランダムアクセス手順の失敗が原因で停止４３０する場合、ＵＥ１０２は、ＳＣｅｌｌタイムアライメントタイマに基づく動作を実行してもよい。これは、図２のステップ２１２に記載されているとおりに、かつ／または下記図５および図６に関連して示される１つ以上の例に従って行われてもよい。
【０１１７】
ＵＥ１０２は、ＰＣｅｌｌタイムアライメントタイマが満了したかどうかの判断４０２に戻ってもよい。なお、図４に示されているステップは、構成によって様々な順序で実行され得る。別の構成では、例えば、ＵＥ１０２はまずステップ４１２（および任意選択でステップ４１４、４１６、４１８、４２０、４２２、４２４、４２６、４２８、および／または４３０）を実行して、続いてステップ４０２（および任意選択でステップ４０４、４０６、４０８、および／または４１０）を実行してもよい。さらに別の選択肢では、これらの判断４０２、４１２および／またはその他ステップは、必ずしも連続して実行されない１つ以上のトリガに基づき実行されてもよい。
【０１１８】
図５は、ＵＥ１０２上でマルチセル通信を可能にする方法５００の例を示すフロー図である。ＵＥ１０２は、対応するＰＣｅｌｌタイムアライメントタイマ１２６をもつプライマリセル（ＰＣｅｌｌ）１１９を判断５０２してもよい。例えばＵＥ１０２は、ＰＣｅｌｌ１１９が通信に使用され得ることを指示する同期信号、ビーコン、メッセージなどを１つ以上のｅＮＢ１６０から受信してもよい。さらにｅＮＢ１６０は、ＰＣｅｌｌ１１９の満了値１２８を設定するメッセージを送ってもよい。例えばＵＥ１０２は、ＰＣｅｌｌ１１９の満了値１２８（例えば５００ｍｓ、７５０ｍｓ、１２８０ｍｓ、１９２０ｍｓ、２５６０ｍｓ、５１２０ｍｓ、１０２４０ｍｓ、または無限大）を指示するメッセージをｅＮＢ１６０から受信してもよい。さらに、または代わりに、ＵＥ１０２は、ＵＥ１０２が１つ以上のｅＮＢ１６０との通信を求めていることを指示する信号またはメッセージ（例えばアクセス要求、認証情報など）を１つ以上のｅＮＢ１６０に送ってもよい。この場合、１つ以上のｅＮＢ１６０は、ＵＥ１０２が１つ以上のｅＮＢ１６０とＰＣｅｌｌ１１９を使用して通信することを許可する信号を送ることによって応答してもよい。
【０１１９】
ＵＥ１０２は、無限大の満了値１３２を有する対応するセカンダリセル（ＳＣｅｌｌ）タイムアライメントタイマ１３０をもつＳＣｅｌｌ１２１を判断５０４してもよい。一構成では、ＳＣｅｌｌ１２１の上りリンクタイムアライメントを有するようＵＥ１０２が構成されると、１つ以上のＳＣｅｌｌ１２１の満了値１３２が、ＵＥ１０２によって無限大にセットされてもよい。あるいは、１つ以上のｅＮＢ１６０によって、１つ以上のＳＣｅｌｌ１２１の無限大の満了値１３２がＵＥ１０２に信号伝達されてもよい。
【０１２０】
ＵＥ１０２は、ＰＣｅｌｌタイムアライメントタイマ１２６が満了したかどうかを判断５０６してもよい。例えばＵＥ１０２は、ＰＣｅｌｌタイムアライメントタイマ１２６によって指示される時間が、ＰＣｅｌｌタイムアライメントタイマ１２６に関連する満了値１２８を満たしたか、または超過したかを判断してもよい。
【０１２１】
ＰＣｅｌｌタイムアライメントタイマ１２６が満了した場合、ＵＥ１０２は、ＳＣｅｌｌタイムアライメントタイマ１３０を満了としてセット５０８してもよい。例えばＵＥ１０２は、ＳＣｅｌｌタイムアライメントタイマ１３０を非実行中状態にセット５０８してもよい。一部の構成では、ＰＣｅｌｌタイムアライメントタイマ１２６が満了した場合、ＵＥ１０２は、１つ以上の（例えばすべての）ＳＣｅｌｌタイムアライメントタイマ１３０を満了としてセット５０８してもよい。
【０１２２】
ＰＣｅｌｌタイムアライメントタイマ１２６が満了していなければ、ＵＥ１０２は、ランダムアクセス手順の失敗が原因でＰＣｅｌｌタイムアライメントタイマ１２６が停止したかどうかを判断５１０してもよい。例えば、ＰＣｅｌｌ１１９のｍａｃ−ＣｏｎｔｅｎｔｉｏｎＲｅｓｏｌｕｔｉｏｎＴｉｍｅｒが満了した場合、ＵＥ１０２は、ランダムアクセス手順の失敗が原因でＰＣｅｌｌタイムアライメントタイマ１２６を停止してもよい。この場合、ＵＥ１０２は、ＳＣｅｌｌタイムアライメントタイマ１３０に基づく動作を実行してもよい。一構成では、ＵＥ１０２は、ＳＣｅｌｌタイムアライメントタイマ１３０を維持５１２してもよい。例えば、ＵＥ１０２は、１つ以上のＳＣｅｌｌタイムアライメントタイマ１３０に実行を継続させてもよい。代わりの構成では、この場合ＵＥは、ＳＣｅｌｌタイムアライメントタイマ１３０を停止５１２してもよい。例として、ＵＥ１０２は、１つ以上のＳＣｅｌｌタイムアライメントタイマ１３０を停止５１２してもよい。
【０１２３】
ＵＥ１０２動作は、最終的に、ＰＣｅｌｌタイムアライメントタイマ１２６が満了したかどうかの判断５０６に戻ってもよい（例えばランダムアクセス手順の失敗が原因でＰＣｅｌｌタイムアライメントタイマ１２６が停止していない場合、またはＳＣｅｌｌタイムアライメントタイマ１３０を満了としてセット５０８した後、またはＳＣｅｌｌタイムアライメントタイマ１３０を維持５１２もしくは停止５１２した後）。なお、図５に示されているステップは、構成によって様々な順序で実行され得る。代わりの構成では、例えば、ＵＥ１０２はまず、ランダムアクセス手順の失敗が原因でＰＣｅｌｌタイムアライメントタイマ１２６が停止したかどうかを判断５１０してもよく、続いて、ランダムアクセス手順の失敗が原因でＰＣｅｌｌタイムアライメントタイマ１２６が停止していなければ、ＵＥ１０２は、ＰＣｅｌｌタイムアライメントタイマ１２６が満了したかどうかを判断５０６してもよい。さらに別の選択肢では、これらの判断５０６、５１０は、必ずしも連続して実行されないトリガに基づいてもよい。
【０１２４】
図６は、ＳＣｅｌｌタイムアライメントタイマ１３０に基づく動作を実行する方法６００の例を示すフロー図である。より具体的には、図６は、図２に示されているようにＳＣｅｌｌタイムアライメントタイマに基づく動作を実行２１２する例を示す。ＰＣｅｌｌタイムアライメントタイマ１２６は、ランダムアクセス手順の失敗が原因で停止６０２されてもよい。例えばＵＥ１０２は、図２に示されているように、ランダムアクセス手順の失敗が原因でＰＣｅｌｌタイムアライメントタイマ１２６が停止したと判断２１０してもよい。
【０１２５】
一構成において、ＵＥ１０２は、指定されたＳＣｅｌｌ１２１に対応するＳＣｅｌｌタイムアライメントタイマ１３０を停止６０４してもよい。一例では、１つ以上のＳＣｅｌｌ１２１が、指定されたＳＣｅｌｌ１２１（例えば「プライマリ・セカンダリセル」または「ＰＳＣｅｌｌ（ｐｒｉｍａｒｙ  ｓｅｃｏｎｄａｒｙ  ｃｅｌｌ）」）と上りリンク送信タイミングを共有してもよい。例として、指定されたＳＣｅｌｌ１２１の上りリンク送信タイミングは、グループ内の他の１つ以上のＳＣｅｌｌ１２１によって使用されてもよい。別の構成では、ＵＥ１０２は、指定されたＳＣｅｌｌ１２１に対応するＳＣｅｌｌタイムアライメントタイマ１３０を満了としてセット６０４してもよい。
【０１２６】
ＵＥ１０２は、指定されたＳＣｅｌｌ１２１、および指定されたＳＣｅｌｌ１２１と上りリンク送信タイミングを共有する任意のＳＣｅｌｌ１２１の１つ以上の（例えばすべての）ＨＡＲＱバッファをフラッシュ６０６してもよい。例えば、ＵＥ１０２は、指定されたＳＣｅｌｌ１２１があるグループ内のＳＣｅｌｌ１２１のすべてのＨＡＲＱバッファをフラッシュ６０６してもよい。ＵＥ１０２はさらに、物理上りリンク制御チャネル（ＰＵＣＣＨ）および／またはサウンディング基準信号（ＳＲＳ）を解放するよう無線リソース制御（ＲＲＣ）に通知することを回避６０８してもよい。例えばＵＥ１０２は、ＰＵＣＣＨおよび／またはＳＲＳを解放するようＲＲＣに通知しなくてもよい６０８。
【０１２７】
ＵＥ１０２は、指定されたＳＣｅｌｌ１２１、および指定されたＳＣｅｌｌ１２１と上りリンク送信タイミングを共有する任意のＳＣｅｌｌ１２１に関して、構成された任意の下りリンク割り当ておよび上りリンクグラントをクリア６１０してもよい。例えばＵＥ１０２は、指定されたＳＣｅｌｌ１２１があるグループ内の１つ以上のＳＣｅｌｌ１２１の構成された任意の下りリンク割り当ておよび上りリンクグラントをクリア６１０してもよい。
【０１２８】
図７は、ＳＣｅｌｌタイムアライメントタイマ１３０とＰＣｅｌｌタイムアライメントタイマ１２６との不一致の一例を示す図である。具体的には、図７は、ＵＥ７０２上での経時的７３８なＰＣｅｌｌ７１９アクティビティおよびＳＣｅｌｌ７２１アクティビティの一例を示す。この例では、ＰＣｅｌｌタイムアライメントタイマは、最初は実行中でなく７８６ａ、ＳＣｅｌｌタイムアライメントタイマは、最初は実行中でない７９２。ＵＥ７０２は、１つ以上のｅＮＢ７６０ａ〜ｂと通信してもよい。なお、ｅＮＢ  Ａ７６０ａおよびｅＮＢ  Ｂ７６０ｂは、同じｅＮＢであっても異なるｅＮＢであってもよい。
【０１２９】
ＵＥ７０２は、ＰＣｅｌｌ７１９においてｅＮＢ  Ａ７６０ａへランダムアクセスプリアンブル７２３を送ってもよい。その結果、ＵＥ７０２は、ランダムアクセスレスポンス７２５をｅＮＢ  Ａ７６０ａから受信してもよい。これが生じると、ＵＥ７０２は、ＰＣｅｌｌタイムアライメントタイマを開始してもよく、その結果、ＰＣｅｌｌタイムアライメントタイマは実行中７８８となる。場合によっては（例えば競合ベースのランダムアクセス手順では）、ＵＥ７０２は、競合解決のためにＭｓｇ３  ７２７をｅＮＢ  Ａ７６０ａへ送信してもよい。
【０１３０】
この例では、ｅＮＢ  Ａ７６０ａが、競合解決メッセージ７２９を送ろうと試みてもよい。しかし、ＵＥ７０２は、競合解決メッセージ７２９を受信しないこともある。あるいは、ｅＮＢ  Ａ７６０ａが競合解決メッセージ７２９を送らないこともある。最終的に競合解決タイマ（例えばｍａｃ−ＣｏｎｔｅｎｔｉｏｎＲｅｓｏｌｕｔｉｏｎＴｉｍｅｒ）が満了７３１する。この時点でＵＥ７０２は、ＰＣｅｌｌタイムアライメントタイマを停止してもよく、その結果、ＰＣｅｌｌタイムアライメントタイマは実行中でなくなる７８６ｂ。したがって、ＰＣｅｌｌタイムアライメントタイマは、ランダムアクセス手順の失敗（例えば競合解決の失敗）が原因で停止され得る。さらなる詳細を以下に示す。
【０１３１】
この例では、ＳＣｅｌｌタイムアライメントタイマは、ＵＥ７０２上で最初は実行中でない７９２。ＵＥ７０２は、ランダムアクセス手順を開始するためのＰＤＣＣＨ指令７３３を、ＳＣｅｌｌ７２１においてｅＮＢ  Ｂ７６０ｂから受信する。それに応じてＵＥ７０２は、ランダムアクセスプリアンブル７３５をｅＮＢ  Ｂ７６０ｂへ送ってもよい。ＵＥ７０２は、ランダムアクセスレスポンス７３７をｅＮＢ  Ｂ７６０ｂから受信すると、ＳＣｅｌｌタイムアライメントタイマを開始してもよく、その結果、ＳＣｅｌｌタイムアライメントタイマは実行中７９４となる。続いてＵＥ７０２は、ｅＮＢ  Ｂ７６０ｂへ、上りリンク共有チャネル（ＵＬ−ＳＣＨ：ｕｐｌｉｎｋ  ｓｈａｒｅｄ  ｃｈａｎｎｅｌ）７３９を使用してデータを送信してもよい。
【０１３２】
図７に示す例によって示されているように、ランダムアクセス（ＲＡ）手順がＰＣｅｌｌ７１９において進行している間に、ｅＮＢ  Ｂ７６０ｂは、物理下りリンク制御チャネル（ＰＤＣＣＨ）指令７３３によって、ＳＣｅｌｌ７２１のランダムアクセス手順を開始するようＵＥ７０２に命令してもよい。ＳＣｅｌｌ７２１におけるランダムアクセス（ＲＡ）手順が成功した後、ＰＣｅｌｌ７１９の競合解決タイマ（例えば「ｍａｃ−ＣｏｎｔｅｎｔｉｏｎＲｅｓｏｌｕｔｉｏｎＴｉｍｅｒ」）が満了７３１してもよく、ＵＥ７０２は、ＰＣｅｌｌタイムアライメントタイマを停止してもよい。この場合、ＰＣｅｌｌタイムアライメントタイマが実行中でなくなる７８６ｂが、それでもＳＣｅｌｌタイムアライメントタイマはまだ実行中７９４であってもよい。この場合、ＳＣｅｌｌのタイムアライメント（ＴＡ）は既に有効であるため、ＳＣｅｌｌタイムアライメントタイマを停止する必要はないかもしれない。
【０１３３】
しかし、ランダムアクセスのみのＨＡＲＱプロセスがＰＣｅｌｌ７１９において実行され得る間に、ＳＣｅｌｌ７２１、および同じ上りリンク送信タイミングを共有する他の１つ以上のＳＣｅｌｌのＨＡＲＱプロセスが実行され得る。ＰＣｅｌｌタイムアライメントタイマには、「満了」および「停止」の２つの機能があってもよい。ＰＣｅｌｌ７１９のタイムアライメントタイマ（ＴＡＴ）が満了すると、ＵＥ７０２は、すべてのＨＡＲＱバッファをフラッシュしてもよく、物理上りリンク制御チャネル（ＰＵＣＣＨ）および／またはサウンディング基準信号（ＳＲＳ）を解放するよう無線リソース制御（ＲＲＣ）に通知してもよい。さらにＵＥはこの場合、構成された任意の下りリンク割り当ておよび上りリンクグラントをクリアしてもよい。これは、上記のように行われてもよい。一方、ランダムアクセス手順の失敗が原因でＰＣｅｌｌタイムアライメントタイマが停止されている場合（例えば競合解決の失敗が原因で）、ＵＥ７０２は、ＳＣｅｌｌタイムアライメントタイマに基づく動作を実行してもよい。これらの動作の例は、図５および図６に関連して上述している。下記の図８は、ランダムアクセス手順の失敗（例えば競合解決の失敗）がどのようにして生じ得るかに関して、さらなる背景を提供する例を示す。
【０１３４】
図８は、ランダムアクセスレスポンスを処理する方法８００の一例を示すフロー図である。具体的には、図８は、ＵＥ１０２がランダムアクセスレスポンス内で上りリンクグラントを受信する場合を示す。ＵＥ１０２がランダムアクセスプリアンブルを送った後、例として、ｅＮＢ１６０は、タイミングアドバンスコマンドおよび上りリンクグラント値をランダムアクセスレスポンスメッセージ内で送ってもよく、これがＵＥ１０２によって受信されてもよい。ランダムアクセスプリアンブルがＵＥ  ＭＡＣによって選択される場合、これは競合ベースのランダムアクセスと呼ばれることもある。ランダムアクセスプリアンブルがＵＥ  ＭＡＣによって選択されない場合（例えば、ランダムアクセスプリアンブルインデックスがｅＮＢ１６０によって信号伝達される）、これは非競合ベースのランダムアクセスまたは無競合ランダムアクセスと呼ばれることもある。
【０１３５】
競合ベースのランダムアクセス手順の場合、ＵＥ１０２は、メッセージ（例えばＭｓｇ３）を送信し、競合解決を受信してもよい。非競合ベースのランダムアクセス手順の場合、ランダムアクセスレスポンスメッセージの受信に成功すると、手順は無事に完了してもよく、ＵＥ１０２は、ランダムアクセスレスポンス内の上りリンクグラントに基づいて通常の上りリンク送信を実行してもよい。
【０１３６】
競合ベースのランダムアクセス手順の場合、それがランダムアクセス手順の中で最初に無事に受信されたランダムアクセスレスポンスであれば、ＵＥ１０２は、セル無線ネットワーク一時識別子（Ｃ−ＲＮＴＩ：ｃｅｌｌ  ｒａｄｉｏ  ｎｅｔｗｏｒｋ  ｔｅｍｐｏｒａｒｙ  ｉｄｅｎｔｉｆｉｅｒ）ＭＡＣ制御要素を後の上りリンク送信に含めるよう、多重化・組み立てエンティティまたは多重化・組み立て部１３６に指示してもよい。さらにＵＥ１０２は、多重化・組み立てエンティティまたは多重化・組み立て部１３６から、送信するＭＡＣ  ＰＤＵを取得して、それをＭｓｇ３バッファ１３４に記憶してもよい。競合解決の失敗またはランダムアクセスレスポンスメッセージの受信の失敗が原因でランダムアクセスプリアンブルが再送されても、Ｍｓｇ３バッファ１３４内に記憶されているメッセージ（例えばＭｓｇ３）は、次のランダムアクセス試行に使用され得る。
【０１３７】
一部の構成では、ＵＥ１０２は以下のように機能してもよい。ＵＥ１０２は、ランダムアクセスレスポンス内で上りリンクグラントを受信８０２してもよい。ＵＥ１０２は、上りリンクグラントがランダムアクセス手順の中で最初に無事に受信されたランダムアクセスレスポンスであるか、ＭＡＣ  ＰＤＵがＭｓｇ３バッファ１３４内にあるか、またはその他かを判断８０４してもよい。
【０１３８】
上りリンクグラントが、ランダムアクセス手順の中で最初に無事に受信されたランダムアクセスレスポンスであれば、ＵＥ１０２は、多重化・組み立てエンティティまたは多重化・組み立て部１３６に、後の上りリンク送信にＣ−ＲＮＴＩ  ＭＡＣ制御要素を含めるよう指示８０８してもよい。さらにＵＥ１０２は、多重化・組み立てエンティティまたは多重化・組み立て部１３６から、送信するＭＡＣ  ＰＤＵを取得８１０して、それをＭｓｇ３バッファ１３４に記憶８１２してもよい。続いてＵＥ１０２は、ＭＡＣ  ＰＤＵ（例えばＭｓｇ３）を送信８１４してもよい。
【０１３９】
ＭＡＣ  ＰＤＵがＭｓｇ３バッファ１３４内にあれば、ＵＥ１０２は、Ｍｓｇ３バッファ１３４から、送信するＭＡＣ  ＰＤＵを取得８０６してもよい（例えば競合ベースのランダムアクセスの場合）。続いてＵＥ１０２は、ＭＡＣ  ＰＤＵ（例えばＭｓｇ３）を送信８１４してもよい。場合によっては、ＵＥ１０２は、上りリンクグラントに基づくＨＡＲＱ手順の中でＭＡＣ  ＰＤＵを送信８１４してもよい。その他の場合、ＵＥ１０２は、多重化・組み立てエンティティまたは多重化・組み立て部１３６から、送信するＭＡＣ  ＰＤＵを取得８１０してもよい（例えば非競合ベースのランダムアクセスの場合）。なお、場合によっては、ＭＡＣ  ＰＤＵ（例えばＭｓｇ３）は、上りリンクグラントに基づくハイブリッド自動再送要求（ＨＡＲＱ）手順の中で送信８１４されてもよい。
【０１４０】
ＭＡＣ  ＰＤＵを送信８１４すると、ＵＥ１０２は、「ｍａｃ−ＣｏｎｔｅｎｔｉｏｎＲｅｓｏｌｕｔｉｏｎＴｉｍｅｒ」（例えば競合解決タイマ）を開始８１６してもよい。さらにＵＥは、ｍａｃ−ＣｏｎｔｅｎｔｉｏｎＲｅｓｏｌｕｔｉｏｎＴｉｍｅｒを、ＨＡＲＱ再送があればその都度、再開始８１６してもよい。
【０１４１】
ＵＥ１０２は、ＵＥ１０２が競合解決のためのＰＤＣＣＨを受信したかどうかを判断８１８してもよい。ＵＥ１０２は、競合解決に使用されるＰＤＣＣＨを受信すれば、競合解決を成功と見なし８２０、ｍａｃ−ＣｏｎｔｅｎｔｉｏｎＲｅｓｏｌｕｔｉｏｎＴｉｍｅｒを停止８２２し、ランダムアクセス手順が無事に完了したと見なし８２４てもよい。
【０１４２】
ＵＥ１０２は、競合解決のためのＰＤＣＣＨを受信していなければ、ｍａｃ−ＣｏｎｔｅｎｔｉｏｎＲｅｓｏｌｕｔｉｏｎＴｉｍｅｒが満了しているかどうかを判断８２６してもよい。ｍａｃ−ＣｏｎｔｅｎｔｉｏｎＲｅｓｏｌｕｔｉｏｎＴｉｍｅｒが満了していなければ、ＵＥ１０２は、競合解決のためのＰＤＣＣＨが受信されているかどうか判断８１８することに戻ってもよい。ｍａｃ−ＣｏｎｔｅｎｔｉｏｎＲｅｓｏｌｕｔｉｏｎＴｉｍｅｒが満了すれば、ＵＥ１０２は、競合解決（例えばランダムアクセス手順）を失敗と見なし８２８てもよい。競合解決（例えばランダムアクセス手順）が失敗と見なされれば８２８、ＵＥ１０２は、セル（例えば上りリンクグラントに対応するＰＣｅｌｌまたはＳＣｅｌｌ）のタイムアライメントタイマを停止８３０してもよい。
【０１４３】
ランダムアクセス手順の失敗または競合解決の失敗が原因でＰＣｅｌｌタイムアライメントタイマが停止８３０されている場合、ＵＥ１０２は、ＳＣｅｌｌタイムアライメントタイマに基づく動作を実行してもよい。例えばＵＥ１０２は、図５または図６に関連して記載された動作の１つ以上を実行してもよい。
【０１４４】
図９は、ＵＥ９０２上での経時的９３８なＰＣｅｌｌ９１９アクティビティおよびＳＣｅｌｌ９２１アクティビティの一例を示す図である。この例では、ＰＣｅｌｌタイムアライメントタイマは、最初、実行中であり９８８、ＳＣｅｌｌタイムアライメントタイマは、最初は実行中でない９９２。ＵＥ９０２は、１つ以上のｅＮＢ９６０ａ〜ｂと通信してもよい。なお、ｅＮＢ  Ａ９６０ａおよびｅＮＢ  Ｂ９６０ｂは、同じｅＮＢであっても異なるｅＮＢであってもよい。ＵＥ９０２は、ＰＣｅｌｌ９１９において上りリンクグラント９４１をｅＮＢ  Ａ９６０ａから受信してもよい。続いてＵＥ９０２は、上りリンク共有チャネル９４３を使用してデータをｅＮＢ  Ａ９６０ａへ送信してもよい。
【０１４５】
この例では、ＵＥ９０２上で、ＳＣｅｌｌタイムアライメントタイマは、最初は実行中でない９９２。ＵＥ９０２は、ランダムアクセス手順を開始するためのＰＤＣＣＨ指令９３３を、ＳＣｅｌｌ９２１においてｅＮＢ  Ｂ９６０ｂから受信する。それに応じてＵＥ９０２は、ランダムアクセスプリアンブル９３５をｅＮＢ  Ｂ９６０ｂへ送る。ＵＥ９０２は、ランダムアクセスレスポンス９３７をｅＮＢ  Ｂ９６０ｂから受信すると、ＳＣｅｌｌタイムアライメントタイマを開始してもよく、その結果、ＳＣｅｌｌタイムアライメントタイマは実行中９９４となる。続いてＵＥ９０２は、Ｍｓｇ３  ９４５をｅＮＢ  Ｂ９６０ｂへ送信してもよい。
【０１４６】
図９に示す例に示されているように、ｅＮＢ  Ｂ９６０ｂは、ＰＣｅｌｌ９１９における進行中の上りリンク送信中に、ＳＣｅｌｌ９２１におけるランダムアクセス手順の開始を要求してもよい。従来、ＰＣｅｌｌのＭｓｇ３バッファは、少なくともセル無線ネットワーク一時識別子（Ｃ−ＲＮＴＩ）ＭＡＣ制御要素を有してもよく、場合によっては他の１つ以上のＭＡＣ制御要素および１つ以上のＭＡＣサービスデータユニットＳＤＵ（単数または複数）を有してもよい。リリース１０では、ＰＣｅｌｌにおける上りリンク送信は、ランダムアクセス（ＲＡ）手順の成功後に再開され得るため、リリース１０において１つのタイムアライメントでＭＡＣ  ＳＤＵ（単数または複数）を処理することには何の問題もなかった。
【０１４７】
しかし、ＵＥ９０２が競合ベースのランダムアクセス手順をＳＣｅｌｌ９２１において実行してランダムアクセス（ＲＡ）手順に失敗する（例えばランダムアクセス手順の失敗が生じる）と、これにより、ＰＣｅｌｌ９１９における通常の上りリンク送信に比べてＭＡＣ  ＳＤＵ（単数または複数）送信の大幅な遅延が生じ得る。したがって、ＳＣｅｌｌ９２１のＭｓｇ３バッファには、ＭＡＣ  ＳＤＵ（単数または複数）を有しない方がよいかもしれない。したがって、ＵＥ  ＭＡＣの多重化・組み立てエンティティまたは多重化・組み立て部は、ＳＣｅｌｌ９２１のＭｓｇ３バッファ内の送信されるＭＡＣ  ＰＤＵに、何らのＭＡＣ  ＳＤＵ（単数または複数）も含めなくてもよい。
【０１４８】
図１０は、上りリンク送信タイミングの一例を示す図である。上りリンク無線フレーム番号ｉ  １０５１のＵＥ１０２からの送信は、対応する下りリンク無線フレームｉ  １０４７がＵＥ１０２にて開始するＮＴＡ×ＴＳ秒１０４９前に開始してもよく、０≦ＮＴＡ≦２０５１２かつＴＳ＝１／（１５０００×２０４８）秒である。言い換えれば、ＵＥ１０２は、対応する下りリンク無線フレームｉ  １０４７を受信するＮＴＡ×ＴＳ秒１０４９前に、上りリンク無線フレームｉ  １０５１の送信を開始してもよい。ＵＥ１０２によって受信されるタイミングアドバンスコマンドは、上りリンク送信タイミングを調整するために使用されてもよい。
【０１４９】
図１１は、上りリンク送信タイミングの別の例を示す図である。１つ以上のＳＣｅｌｌ１２１の（例えばＰＵＳＣＨおよび／またはＳＲＳの）上りリンク送信タイミングは、ＰＣｅｌｌ１１９と同じである。図１１に示されるように、ＵＥ１０２からのＰＣｅｌｌ上りリンク無線フレーム番号ｉ  １１５５の送信は、対応するＰＣｅｌｌ下りリンク無線フレームｉ  １１５３がＵＥ１０２にて開始するＮＴＡ×ＴＳ秒１１５７前に開始してもよい。ＵＥ１０２からの１つ以上のＳＣｅｌｌ上りリンク無線フレーム番号ｉ  １１６１ａ〜ｃの送信は、ＰＣｅｌｌ下りリンク無線フレームｉ  １１５３がＵＥ１０２にて開始するＮＴＡ×ＴＳ秒１１５７前に開始してもよい。図１１にあるように、下りリンク無線フレーム番号ｉ  １１５９ａ〜ｃは、タイミングが変動してもよい。なお、他のＳＣｅｌｌ１２１（例えば他のグループ内）の上りリンク送信タイミングは、指定されたＳＣｅｌｌ１２１の送信タイミングに基づいてもよい。
【０１５０】
図１２は、展開シナリオの一例を示すブロック図である。この例では、２つのｅＮＢ１２６０ａ〜ｂがいずれもＵＥ１２０２と通信し得る。ｅＮＢ  Ａ１２６０ａは、ＵＥ１２０２と通信するための１つ以上のアンテナ１２８０ａ〜ｍを含んでもよい。ｅＮＢ  Ｂ１２６０ｂは、ＵＥ１２０２と通信するための１つ以上のアンテナ１２８０ｎ〜ｚを含んでもよい。ＵＥ１２０２は、ｅＮＢ  Ａ１２６０ａおよびｅＮＢ  Ｂ１２６０ｂと通信するためのアンテナ１２２２ａ〜ｎを含んでもよい。この例では、ＵＥ１２０２は、並置されていない２つのサイト（例えばｅＮＢ１２６０ａ〜ｂ）と複数のキャリア上で通信してもよい。図のように、各通信経路１２６３ａ〜ｂは、異なる伝搬環境を経験し得る。これは、経路Ａ１２６３ａおよび経路Ｂ１２６３ｂ上の通信フレームの上りリンク送信タイミングに差をもたらし得る。一構成では、セルまたはチャネルの１つのグループが経路Ａ１２６３ａ上に確立されてもよく、セルまたはチャネルの別のグループが経路Ｂ１２６３ｂ上に確立されてもよい。図１２に示されているシナリオは、リモートアンテナまたはリモートレディオヘッドにより同様に生じ得るであろう。
【０１５１】
図１３は、展開シナリオの別の例を示すブロック図である。この例では、ｅＮＢ１３６０は、複数の信号を使用してＵＥ１３０２と通信してもよい。ｅＮＢ１３６０は、リピータＡおよびＢ１３６５ａ〜ｂを介してＵＥ１３０２と通信するための１つ以上のアンテナ１３８０ａ〜ｎを含んでもよい。リピータＡ１３６５ａは、ｅＮＢ１３６０および／またはＵＥ１３０２と通信するための１つ以上のアンテナ１３６７ａ〜ｍを含んでもよい。リピータＢ１３６５ｂは、ｅＮＢ１３６０および／またはＵＥ１３０２と通信するための１つ以上のアンテナ１３６７ｎ〜ｚを含んでもよい。ＵＥ１３０２は、リピータＡおよびＢ１３６５ａ〜ｂを介してｅＮＢ１３６０と通信するためのアンテナ１３２２ａ〜ｎを含んでもよい。この例では、ＵＥ１３０２は、経路ＡおよびＢ１３６３ａ〜ｂ上でｅＮＢ１３６０と通信してもよい。図のように、各通信経路１３６３ａ〜ｂは、異なる伝搬環境を経験し得る。これは、経路Ａ１３６３ａおよび経路Ｂ１３６３ｂ上の通信フレームの上りリンク送信タイミングに差をもたらし得る。例えば、異なるコンポーネントキャリアは、異なる周波数選択性リピータ１３６５ａ〜ｂが原因で、経路Ａ１３６３ａと経路Ｂ１３６３ｂとの間で実質的に異なる伝搬環境にあり得、したがって異なる伝搬時間を経験し得るであろう。一構成では、セルまたはチャネルの１つのグループが経路Ａ１３６３ａ上に確立されてもよく、セルまたはチャネルの別のグループが経路Ｂ１３６３ｂ上に確立されてもよい。
【０１５２】
図１４は、ユーザ機器（ＵＥ）１４０２に利用され得る様々なコンポーネントを示す。ＵＥ１４０２は、上記のＵＥ１０２、３０２、７０２、９０２、１２０２、１３０２のうちの１つ以上として利用され得る。ＵＥ１４０２は、ＵＥ１４０２の動作を制御するプロセッサ１４６９を含む。プロセッサ１４６９は、ＣＰＵと呼ばれることもある。メモリ１４７５は、読み取り専用メモリ（ＲＯＭ：ｒｅａｄ−ｏｎｌｙ  ｍｅｍｏｒｙ）、ランダムアクセスメモリ（ＲＡＭ：ｒａｎｄｏｍ  ａｃｃｅｓｓ  ｍｅｍｏｒｙ）、これら２つの組み合わせ、または情報を記憶できる任意のタイプのデバイスを含んでよく、命令１４７１ａおよびデータ１４７３ａをプロセッサ１４６９に提供する。メモリ１４７５の一部は、不揮発性ランダムアクセスメモリ（ＮＶＲＡＭ：ｎｏｎ−ｖｏｌａｔｉｌｅ  ｒａｎｄｏｍ  ａｃｃｅｓｓ  ｍｅｍｏｒｙ）を含むこともできる。プロセッサ１４６９にも命令１４７１ｂおよびデータ１４７３ｂが存在してもよい。プロセッサ１４６９に読み込まれた命令１４７１ｂおよび／またはデータ１４７３ｂは、プロセッサ１４６９による実行または処理のために読み込まれた、メモリ１４７５からの命令１４７１ａおよび／またはデータ１４７３ａも含んでもよい。プロセッサ１４６９によって命令１４７１ｂが実行されて、本願明細書に開示されたシステムおよび方法が実装されてもよい。
【０１５３】
ＵＥ１４０２は、データの送信および受信を可能にするために１つ以上の送信機１４５８および１つ以上の受信機１４２０を含む筺体も含んでもよい。送信機（単数または複数）１４５８および受信機（単数または複数）１４２０は、１つ以上の送受信機１４１８に組み合わされてもよい。１つ以上のアンテナ１４２２ａ〜ｎが、筺体に取り付けられ、送受信機１４１８に電気的に結合されてもよい。
【０１５４】
ＵＥ１４０２の様々なコンポーネントは、データバスに加えて電力バス、制御信号バス、およびステータス信号バスを含み得るバスシステム１４８１によって相互結合される。なお、明瞭にするために、図１４では様々なバスがバスシステム１４８１として示されている。ＵＥ１４０２は、信号の処理に使用されるデジタル信号プロセッサ（ＤＳＰ：ｄｉｇｉｔａｌ  ｓｉｇｎａｌ  ｐｒｏｃｅｓｓｏｒ）１４７７も含んでもよい。ＵＥ１４０２は、ＵＥ１４０２の機能へのユーザアクセスを提供する通信インターフェース１４７９も含んでもよい。図１４に示されているＵＥ１４０２は、具体的なコンポーネントの列挙ではなく、機能ブロック図である。
【０１５５】
図１５は、ｅｖｏｌｖｅｄ  Ｎｏｄｅ  Ｂ（ｅＮＢ）１５６０において利用され得る様々なコンポーネントを示す。ｅＮＢ１５６０は、前述のｅＮＢ１６０、３６０、７６０、９６０、１２６０、１３６０のうちの１つ以上として利用され得る。ｅＮＢ１５６０は、ＵＥ１４０２に関して上述したコンポーネントと同様のコンポーネントを含んでもよく、これには、プロセッサ１５８３、プロセッサ１５８３に命令１５８５ａおよびデータ１５８７ａを提供するメモリ１５８９、プロセッサ１５８３に存在してもそれに読み込まれてもよい命令１５８５ｂおよびデータ１５８７ｂ、１つ以上の送信機１５１７および１つ以上の受信機１５７８（１つの以上の送受信機１５７６に組み合わされてもよい）を含む筺体、送受信機（単数または複数）１５７６に電気的に結合された１つ以上のアンテナ１５８０ａ〜ｎ、バスシステム１５９５、信号の処理に使用されるＤＳＰ１５９１、通信インターフェース１５９３などが含まれる。
【０１５６】
「コンピュータ可読媒体」という用語は、コンピュータまたはプロセッサによってアクセス可能な、利用可能な任意の媒体を指す。本願明細書で使用される「コンピュータ可読媒体」という用語は、非一時的かつ有形のコンピュータおよび／またはプロセッサ可読媒体を示し得る。限定ではなく例として、コンピュータ可読またはプロセッサ可読媒体は、ＲＡＭ、ＲＯＭ、ＥＥＰＲＯＭ、ＣＤ−ＲＯＭもしくはその他光ディスクストレージ、磁気ディスクストレージもしくはその他磁気ストレージデバイス、またはそのほか、命令もしくはデータ構造の形態の所望のプログラムコードを保持もしくは記憶するために使用でき、かつコンピュータもしくはプロセッサによってアクセスできる任意の媒体を含み得る。本願明細書で使用されるディスク（ｄｉｓｋ）およびディスク（ｄｉｓｃ）は、コンパクトディスク（ＣＤ：ｃｏｍｐａｃｔ  ｄｉｓｃ）、レーザディスク（ｌａｓｅｒ  ｄｉｓｃ）、光ディスク（ｏｐｔｉｃａｌ  ｄｉｓｃ）、デジタル多用途ディスク（ＤＶＤ：ｄｉｇｉｔａｌ  ｖｅｒｓａｔｉｌｅ  ｄｉｓｃ）、フロッピーディスク（ｆｌｏｐｐｙ  ｄｉｓｋ）およびＢｌｕ−ｒａｙ（登録商標）ディスク（ｄｉｓｃ）を含み、ディスク（ｄｉｓｋ）は通常、磁気的にデータを再生し、ディスク（ｄｉｓｃ）は、レーザを用いて光学的にデータを再生する。
【０１５７】
なお、本願明細書に記載される方法の１つ以上が、ハードウェアに実装され、かつ／またはハードウェアを使用して実行され得る。例えば、本願明細書に記載される方法の１つ以上は、チップセット、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ）、大規模集積回路（ＬＳＩ：ｌａｒｇｅ−ｓｃａｌｅ  ｉｎｔｅｇｒａｔｅｄ  ｃｉｒｃｕｉｔ）、または集積回路などに実装され、かつ／またはそれらを使用して実現され得る。
【０１５８】
本願明細書に開示される方法はそれぞれ、記載される方法を達成するための１つ以上のステップまたはアクションを含む。本方法のステップおよび／またはアクションは、特許請求の範囲に記載の範囲から逸脱することなく、相互に交換され、かつ／または単一のステップに組み合わされ得る。言い換えれば、記載されている方法が適切に動作するためにステップまたはアクションの特定の順序が必要とされない限り、特許請求の範囲に記載の範囲から逸脱することなく、特定のステップおよび／またはアクションの順序および／または使用に修正が加えられてもよい。
【０１５９】
当然のことながら、特許請求の範囲は、上記に示されたとおりの構成およびコンポーネントに限定されない。本願明細書に記載されるシステム、方法、および装置の配置、動作、および細部において、特許請求の範囲に記載の範囲から逸脱することなく、様々な修正、変更、および変化が加えられ得る。
【図１】
0006002751.tif 000002
【図２】
0006002751.tif 000003
【図３】
0006002751.tif 000004
【図４】
0006002751.tif 000005
【図５】
0006002751.tif 000006
【図６】
0006002751.tif 000007
【図７】
0006002751.tif 000008
【図８】
0006002751.tif 000009
【図９】
0006002751.tif 000010
【図１０】
0006002751.tif 000011
【図１１】
0006002751.tif 000012
【図１２】
0006002751.tif 000013
【図１３】
0006002751.tif 000014
【図１４】
0006002751.tif 000015
【図１５】
0006002751.tif 000016